(57)【要約】【課題】シャッタを開閉駆動するアクチュエータを備えた構成においてもレイアウト性能を確保すること。【解決手段】  枠状のシュラウド２に、車幅方向に延びる複数のシャッタ３０を備えたグリルシャッタユニット３が取付けられ、シュラウドアッパ２１の幅方向中央部とシュラウドロア２２の幅方向中央部とに連結する上下方向に延びるセンタステー２４が設けられ、グリルシャッタユニット３がシュラウド２の背面側に取り付けられるとともに、グリルシャッタユニット３における、センタステー２４の背面側の部位に、シャッタ３０開閉駆動用のアクチュエータ３１が配設された。【選択図】図８
2019010954.tif 000002
【特許請求の範囲】
【請求項１】
枠状のシュラウドに、車幅方向に延びる複数のシャッタを備えたグリルシャッタユニットが取付けられる自動車のグリルシャッタ取付構造であって、
シュラウドアッパ幅中央とシュラウドロア幅中央とに連結する上下方向に延びるセンタステーが設けられ、
上記グリルシャッタユニットが上記シュラウドの背面側に取り付けられるとともに、
上記グリルシャッタユニットにおける、上記センタステーの背面側の部位に、上記シャッタ開閉駆動用のアクチュエータが配設された
自動車のグリルシャッタ取付構造。
【請求項２】
上記センタステーが、その下方側が上方側に対し幅広に形成されており、
上記センタステーの下方側の背面側に、上記アクチュエータが配設された
請求項１に記載の自動車のグリルシャッタ取付構造。
【請求項３】
上記グリルシャッタユニットに備えたセンタフレームが、上記センタステーに沿ってその背面側に取付けられるとともに、上記センタフレームの上下方向におけるアクチュエータの配設部位を、それ以外の部位より幅広に形成し、
上記アクチュエータの配設部位に、上記アクチュエータを収容するアクチュエータ収容部が形成された
請求項１又は２に記載の自動車のグリルシャッタ取付構造。
【請求項４】
上記アクチュエータの駆動力を上記シャッタに伝達する駆動リンクが上記センタフレームに沿って配設された
請求項３に記載の自動車のグリルシャッタ取付構造。
【請求項５】
上記グリルシャッタユニットには、上記センタフレームに対して左右各側に分割して配置されるサイドユニットを備えるとともに、左右各側の上記サイドユニットの車幅方向の上記センタフレーム側端部に上記各駆動リンクを備え、
左右各側の上記各駆動リンクが上記センタフレームの背面側で互いに連結するように一体的に形成された
請求項４に記載のグリルシャッタ取付構造。
【請求項６】
上記シュラウドアッパ幅中央に、ボンネットのラッチを収容するラッチ収容部が、枠状の上記シュラウドの正面視内側に有する開口部側に突出して形成されるとともに、上記ラッチ収容部に対して左右両側には、上記駆動リンクによって直接駆動されない間接揺動シャッタが配設され、
上記駆動リンクとは異なる第２の駆動リンクが、上記間接揺動シャッタを駆動可能に該間接揺動シャッタの車幅方向の外方側に設けられた
請求項４又は５に記載のグリルシャッタ構造。
【発明の詳細な説明】
【技術分野】
【０００１】
この発明は、枠状のシュラウドに、車幅方向に延びる複数のシャッタを備えたグリルシャッタユニットが取付けられる自動車のグリルシャッタ取付構造に関する。
【背景技術】
【０００２】
特許文献１に例示されるように、自動車のグリルシャッタ取付構造として、車両の運転状態に応じてラジエータに対する外気の導入を制御すべくシャッタを開閉駆動するアクチュエータを備えたものが知られている。
【０００３】
特許文献１における、アクチュエータを含んだ開閉駆動手段（３６）は、グリルシャッタユニット（３０）に備えたユニット枠部（３１）の両サイドに有する側壁部（４３，４３）のうち一方（右側）の側壁部（４３）側に備えたものである（特許文献１の図９、図１１参照）。
【０００４】
しかしながら開閉駆動手段（３６）を、このようにグリルシャッタユニット（３０）の側壁部（４３）に備えた構成においては、該側壁部（４３）に対して車幅方向外側に張り出した取付フランジ（４６）に取り付けられるため（特許文献１の同図参照）、側壁部（４３）よりも車幅方向外側へ突出した開閉駆動手段（３６）が側壁部（４３）の周辺に存在するセンサや導風部材等の補機との干渉のおそれが生じる一方で、開閉駆動手段（３６）を側壁部（４３）よりも車幅方向内側に配設した場合には、該開閉駆動手段（３６）がシュラウド部材（２０）の開口を塞ぐことになり開口面積の縮小化につながるおそれがある。このように開閉駆動手段（３６）を備えた構成においては、レイアウト上の制約を受け易いため検討の余地があった。
【先行技術文献】
【特許文献】
【０００５】
【特許文献１】特開２０１４−１９８５０９号公報
【発明の概要】
【発明が解決しようとする課題】
【０００６】
そこで本発明は、シャッタを開閉駆動するアクチュエータを備えた構成においてもレイアウト性能を確保することができる自動車のグリルシャッタ取付構造の提供を目的とする。
【課題を解決するための手段】
【０００７】
この発明は、枠状のシュラウドに、車幅方向に延びる複数のシャッタを備えたグリルシャッタユニットが取付けられる自動車のグリルシャッタ取付構造であって、シュラウドアッパ幅中央とシュラウドロア幅中央とに連結する上下方向に延びるセンタステーが設けられ、上記グリルシャッタユニットが上記シュラウドの背面側に取り付けられるとともに、上記グリルシャッタユニットにおける、上記センタステーの背面側の部位に、上記シャッタ開閉駆動用のアクチュエータが配設されたものである。
【０００８】
上記構成によれば、センタステー背面側のデッド空間を利用してアクチュエータを配設でき、レイアウト性能を向上できる。
【０００９】
この発明の態様として、上記センタステーが、その下方側が上方側に対し幅広に形成されており、上記センタステーの下方側の背面側に、上記アクチュエータが配設されたものである。
【００１０】
上記構成によれば、上記シュラウドロア幅中央と上記センタステーとの連結部位（シュラウドロア）の剛性向上を図りつつ、アクチュエータを備えたグリルシャッタユニットの重心位置を下げることができる。
【００１１】
この発明の態様として、上記グリルシャッタユニットに備えたセンタフレームが、上記センタステーに沿ってその背面側に取付けられるとともに、上記センタフレームの上下方向におけるアクチュエータの配設部位を、それ以外の部位より幅広に形成し、上記アクチュエータの配設部位に、上記アクチュエータを収容するアクチュエータ収容部が形成されたものである。
【００１２】
上記構成によれば、上記センタフレームの上下方向におけるアクチュエータの配設部位を、上記センタステーの幅に合わせて幅広に形成することにより、該アクチュエータの配設部位に、アクチュエータを収容可能なアクチュエータ収容部を形成することができる。
【００１３】
この発明の態様として、上記アクチュエータの駆動力を上記シャッタに伝達する駆動リンクが上記センタフレームに沿って配設されたものである。
【００１４】
上記構成によれば、上記グリルシャッタユニットの車幅方向の中央に駆動リンクを配置（いわゆるセンタ配置）することにより、駆動リンクを介したシャッタの駆動をスムーズに行うことができる。
【００１５】
この発明の態様として、上記グリルシャッタユニットには、上記センタフレームに対して左右各側に分割して配置されるサイドユニットを備えるとともに、左右各側の上記サイドユニットの車幅方向の上記センタフレーム側端部に上記各駆動リンクを備え、左右各側の上記各駆動リンクが上記センタフレームの背面側で互いに連結するように一体的に形成されたものである。
【００１６】
上記構成によれば、駆動リンクの剛性を向上でき、センタフレームに対して左右各側のシャッタの開閉にずれが生じることなく、シャッタの開閉駆動をスムーズに行うことができる。
【００１７】
この発明の態様として、上記シュラウドアッパ幅中央に、ボンネットのラッチを収容するラッチ収容部が、枠状の上記シュラウドの正面視内側に有する開口部側に突出して形成されるとともに、上記ラッチ収容部に対して左右両側には、上記駆動リンクによって直接駆動されない間接揺動シャッタが配設され、上記駆動リンクとは異なる第２の駆動リンクが、上記間接揺動シャッタを駆動可能に該間接揺動シャッタの車幅方向の外方側に設けられたものである。
【００１８】
上記構成によれば、ラッチ収容部を形成することに伴ってその左右両側に、上記駆動リンクによって直接駆動されない間接揺動シャッタが配設された構成においても、間接揺動シャッタを第２の駆動リンクによってスムーズに開閉駆動させることができる。
【発明の効果】
【００１９】
この発明によれば、シャッタを開閉駆動するアクチュエータを備えた構成においてもレイアウト性能を確保することができる。
【図面の簡単な説明】
【００２０】
【図１】本実施形態のグリルシャッタ取付構造を前方から見た斜視図。
【図２】ラジエータおよびコンデンサを取り外した状態の本実施形態のグリルシャッタ取付構造の背面図。
【図３】本実施形態のグリルシャッタユニットを示す正面図。
【図４】本実施形態のシュラウドの右側の上部および上下方向の中央部を示した斜視図。
【図５】本実施形態のグリルシャッタユニットの車幅方向中央部を前方から見た斜視図。
【図６】図２の第１フレームおよびその周辺を示す要部拡大図（ａ）および（ａ）図中の矢印Ａ、且つ紙面手前側から見た要部を示す拡大斜視図（ｂ）。
【図７】図２のＡ−Ａ線断面図。
【図８】図２のＢ−Ｂ線断面図。
【図９】図２のＣ−Ｃ線断面図。
【図１０】図２のＤ−Ｄ線断面図。
【図１１】図２のＥ−Ｅ線要部断面図。
【図１２】図３のＦ−Ｆ線（ａ）およびＧ−Ｇ線（ｂ）の各要部断面図。
【図１３】シャッタ開時（ａ）および閉時（ｂ）における図２のＨ−Ｈ線の要部断面図。
【図１４】シャッタ開時（ａ）および閉時（ｂ）における図２のＩ−Ｉ線の要部断面図。
【発明を実施するための形態】
【００２１】
以下、図面に基づいて本発明の実施形態を詳述する。  
図中、矢印Ｆは車両前方を示し、矢印ＯＵＴは車幅方向外側（車両右側）を示し、矢印ＩＮは車幅方向内側（車両左側）を示し、矢印Ｕは車両上方を示すものとする。
【００２２】
図１〜図３に示すように、本実施形態の自動車のグリルシャッタ取付構造１は、矩形枠状のシュラウド２と、該シュラウド２に固定されたグリルシャッタユニット３を備えている。  
また本実施形態のシュラウド２およびグリルシャッタユニット３は左右略対称形状であるため、グリルシャッタ取付構造１の車両右側の構成に基づいて説明する。
【００２３】
シュラウド２は、熱交換器としてのラジエータ４（図８〜図１１参照）およびコンデンサ４５（同図参照）を保持するとともに、ラジエータ４に対して前方から流れる走行風を導くために矩形枠状に形成されている。
【００２４】
図４〜図９の特に図４、図７に示すように、シュラウド２は、その左右両サイドにバンパビーム取付ブラケット６（以下、「ブラケット６」と称する）が取り付けられており、これら左右一対のブラケット６，６を介してバンパビーム７に連結されている。  
なお、図１ではブラケット６およびバンパビーム７、図４ではバンパビーム７の図示を夫々省略している。
【００２５】
このバンパビーム７は、図７〜図１０に示すように、断面ハット状のベース板７ａと板状のクロージングプレート７ｂとを有して車幅方向に延びており、図示省略するがエンジンルームの左右両サイドを前後方向に延びる不図示のフロントサイドフレームの前端に、不図示の取付プレートおよびクラッシュカンを介して取り付けられている。シュラウド２は、バンパビーム７の後側で且つ左右一対のクラッシュカン（図示省略）の間に略鉛直姿勢で配置されている。
【００２６】
図１、図２に示すように、シュラウド２は、車幅方向に延びて矩形枠状の上辺を構成するシュラウドアッパ２１と、同じく下辺を構成するシュラウドロア２２と、同じく側辺を構成するとともに、シュラウドアッパ２１およびシュラウドロア２２の左右両端を上下方向に連結する左右一対のシュラウドサイド２３，２３とを有し正面視（車両前方から後方視）で内側に前後方向に貫通する矩形状の開口部８（８ａ，８ｂ，８ｃ）を有している。
【００２７】
図１、図８に示すように、シュラウド２には、上下方向に延びてシュラウドアッパ２１の車幅方向中央部の前方側と、シュラウドロア２２の車幅方向中央部の前方側とを連結するセンタステー２４が一体に形成される。
【００２８】
さらにシュラウド２には、車幅方向に延びて左右一対のシュラウドサイド２３，２３の上下方向の中央部を隔てた上下各部位の前方側を互いに連結するクロスステー２５ａ，２５ｂ（上側クロスステー２５ａと下側クロスステー２５ｂと）が一体に形成されている。
【００２９】
図１、図２に示すように、開口部８は、センタステー２４によって左右各側に区分けされるとともに、上下各クロスステー２５ａ，２５ｂによって上段と中段と下段とに区分けされ、合計６つに区分けされる。具体的には、開口部８は、上側クロスステー２５ａよりも上側に形成された左右各側の上段開口部８ａ，８ａと、上側クロスステー２５ａと下側クロスステー２５ｂとの間に形成された左右各側の中段開口部８ｂ，８ａと、下側クロスステー２５ｂよりも下側に形成された左右各側の下段開口部８ｃ，８ｃとに区分けされている。
【００３０】
図１、図４に示すように、中段開口部８ｂの車幅方向外縁８ｂｏの位置は、上段開口部８ａおよび下段開口部８ｃの各車幅方向外縁８ａｏ，８ｃｏよりも車幅方向内側に位置するように形成しており、これに伴って左右両側のシュラウドサイド２３，２３の上下方向における、ブラケット６の取り付け位置２６（後述するブラケット取付面部２６）の車幅方向内側部分には、中段開口部８ｂ側へ張り出した幅広部２９が形成されている（図１、図４参照）。
【００３１】
図１に示すように、センタステー２４は、その下方側が上方側に対し幅広に形成されている。具体的には、センタステー２４は、その上下方向における下段開口部８ｃに相当する部位が、中段開口部８ｂおよび上段開口部８ａに相当する部位よりも幅広に形成されている。
【００３２】
図１、図４、図７に示すように、左右一対のシュラウドサイド２３，２３の上下方向の中央部の前面には、ブラケット６の後面部６ｒ（図４、図７参照）が当接した状態で取り付けられる締結するブラケット取付面部２６として形成されている。
【００３３】
具体的には図７に示すように、ブラケット取付面部２６の上下各部には、ボルトＢ１挿通用の挿通孔２６ａが形成されており、ブラケット６の後面部６ｒの上下各側における挿通孔２６ａに対応する位置にも貫通孔６ａ（いわゆるバカ孔）が形成されている。上下各側の挿通孔２６ａ，２６ａには、予めカラーナットＮがインサートされている。そして、ボルトＢ１を、貫通孔６ａおよび、挿通孔２６ａにインサートされたカラーナットＮに前側から挿通することで締結部２６ｃが構成され、ブラケット６をブラケット取付面部２６に締結固定している。
【００３４】
図１、図４に示すように、シュラウド２の前面は、上段開口部８ａおよび下段開口部８ｃの各周縁２７ａ，２７ｃが共に中段開口部８ｂの周縁２７ｂに対して前方へ隆起して形成している。
【００３５】
図１、図４、図８〜図１０に示すように、シュラウド２の前面の上下方向の中央部且つ、左右一対のブラケット取付面部２６，２６よりも車幅方向内側には、バンパビーム７の後部を収容する収容凹部２８が形成されている。この実施例では収容凹部２８は、前高後低状に傾斜する凹部上壁２８ａと、前低後高状に傾斜する凹部下壁２８ｂと、これら上下の壁部後端を上下に連結する凹部後壁２８ｃとで車両前方が開放するように凹状に形成されている。凹部上壁２８ａは上側クロスステー２５ａに形成されるとともに凹部下壁２８ｂは下側クロスステー２５ｂに形成され、凹部後壁２８ｃに中段開口部８ｂが形成されている。
【００３６】
ところで、図１１に示すように、ラジエータ４の車幅方向外部には、リザーバタンク４１が一体的に設けられており、このリザーバタンク４１から車幅方向外方に突出する棒状の突出部４２が形成されている。突出部４２は、ラジエータ４の車幅方向両側の側部から車幅方向外側に突出する棒状に形成され、突出方向の断面形状は、四角形である（図７参照）。
【００３７】
図１１に示すように、ラジエータ４のリザーバタンク４１の前部には、コンデンサ４５を支持する支持片４３が一体形成されている。コンデンサ４５の車幅方向外側にも、リザーバタンク４６が一体的に設けられており、このリザーバタンク４６の車幅方向外部と、上述の支持片４３とをブラケット４４で連結している。
【００３８】
図７、図１１に示すように、ラジエータ４は、左右一対のシュラウドサイド２３，２３の上端近傍位置に配設されたマウント装置５，５によって支持されている。マウント装置５，５は、左右各側の突出部４２を支持するものであり、各マウント装置５は、ゴム部材等の弾性部材からなるマウントラバー５１と、マウントラバー５１を保持しつつシュラウドサイド２３に取付け支持する支持ブラケット５２を備えている。マウントラバー５１の中心部には、突出部４２が挿入嵌合する断面四角形の孔部５２ａが形成されている。
【００３９】
図１１に示すように、支持ブラケット５２は、該マウントラバー５１を介して突出部４２を保持する筒状の保持部５３と、該保持部５３の後部から車幅方向外側へ延びてシュラウドサイド２３の後端から車幅方向外端に延びる後端フランジ部５４にボルトＢ２等を用いた締結によって後方から取り付ける取付け片５５とで一体に形成している。
【００４０】
左右各シュラウドサイド２３のマウント装置５において、左右夫々に対応する突出部４２が保持されることで、ラジエータ４およびコンデンサ４５は、２つのマウント装置５，５を介してシュラウド２に左右両サイドから支持される。
【００４１】
図７、図１１に示すように、シュラウドサイド２３の上下方向におけるマウント装置５に対応する部位に、シュラウドサイド２３の前面からボックス状（角筒状）に突出するボックス形状部１０が一体に形成されている。
【００４２】
図４、図７、図１１に示すように、ボックス形状部１０は、上壁部１１と下壁部１２と車幅方向両側の側壁部１３ｏ，１３ｉとで角筒状に形成され、さらにこれら上壁部１１、下壁部１２、側壁部１３ｏ，１３ｉの内側の空間を前端にて覆う前壁部１４とを有して一体に形成されている。  
前壁部１４には、不図示のエアバッグセンサのプロテクタを取り付ける取付孔１４ａが設けられている（図４、図１１参照）。
【００４３】
図４、図７、図１１に示すように、上壁部１１および車幅方向の外側の側壁部１３ｏは、シュラウドサイド２３のブラケット取付面部２６（図４参照）よりも後方へ延出し、さらに下壁部１２の後端よりも若干下方の位置には、同じくブラケット取付面部２６よりも後方へ延出するリブ１５（図７参照）が一体形成されている。
【００４４】
上壁部１１および車幅方向の外側の側壁部１３ｏの各後方延出部分１１ａ，１３ｏａと、リブ１５とは、上述したボックス形状部１０の基部として形成されている（図４、図７、図１１参照）。
【００４５】
支持ブラケット５２の筒状の保持部５３は、ボックス形状部１０の基部側の空間に嵌め込まれるように配置され（図７参照）、これによりボックス形状部１０は、マウント装置５によるラジエータ４およびコンデンサ４５の支持剛性を補強する補強部としても形成されている。
【００４６】
図１に示すように、シュラウド２は、シュラウドアッパ２１の上面に取り付けられたシュラウドアッパメンバ１７と、シュラウドアッパメンバ１７の左右両外側に備えたシュラウドサイドメンバ１８，１８とを含む。なお、図４においてはシュラウドアッパメンバ１７およびシュラウドサイドメンバ１８の図示は省略している。
【００４７】
シュラウドアッパメンバ１７は、左右各側においてシュラウドサイドメンバ１８，１８を介して不図示のエプロンメンバの前端部に連結されている。シュラウド２における、矩形枠状に形成された本体部（シュラウドアッパ２１、シュラウドロア２２および両サイドのシュラウドサイド２３，２３）は、硬質剛性樹脂材料によって形成されているのに対して、上述したシュラウドアッパメンバ１７およびシュラウドサイドメンバ１８は、鋼板で形成されている。
【００４８】
左右各側のシュラウドサイドメンバ１８，１８の上面の車幅方向内側、詳しくは、車幅方向におけるシュラウドサイド２３に対応する部位には、不図示のボンネットが閉時の衝撃を吸収する衝撃緩衝部材としての不図示のストップラバーを設置する台座部１８ａが設けられている（図１参照）。
【００４９】
また、シュラウドアッパメンバ１７の車幅方向の中央部には、ボンネットに設けられた不図示のストライカの挿通を許容する貫通穴１７ａが形成されている。
【００５０】
図１に示すように、シュラウドアッパメンバ１７の貫通穴１７ａの下方に位置するシュラウドアッパ２１の車幅方向中央部の前方側には、該シュラウドアッパ２１の下面から下方へ延出するとともに左右各側の上段開口部８ａ，８ａの側（車幅方向両外側）へ張り出すように一体に形成された下方延出部２１ａを備えている。
【００５１】
このような下方延出部２１ａを含めたシュラウドアッパ２１の車幅方向中央部の前方側には、不図示のラッチを収容するラッチ収容部９（ポケット部）が設けられている。このラッチ収容部９は、図１、図８に示すように、下壁部９ａ、左右両側の側壁部９ｂ，９ｂおよび後壁部９ｃを有して前方および上方が開口する凹状（ポケット状）に形成されている。
【００５２】
これにより、ボンネット閉時に該ボンネットに設けられたストライカが貫通穴１７ａを通じて降下してラッチ収容部９に収容されたラッチに係合することでボンネットが車体に係合するようになっている。
【００５３】
また、図１、図８に示すように、センタステー２４の上端は、ラッチ収容部９の下壁部９ａの車幅方向中央部に下側から一体に連結されており、ラッチ収容部９は、センタステー２４（の少なくとも上部）よりも幅広に形成されている（図１参照）。
【００５４】
次に、グリルシャッタユニット３について説明する。  
図１、図２、図８〜図１１に示すように、本実施形態のグリルシャッタユニット３は、シュラウド２に対して、その背面側且つラジエータ４およびコンデンサ４５よりも前方側から正面視でシュラウド２からはみ出さないように取り付けられている。
【００５５】
図３に示すように、グリルシャッタユニット３は、複数（当例では６つ）の分割ユニット３ａ〜３ｃとして、上段ユニット３ａ，３ａと中段ユニット３ｂ，３ｂと下段ユニット３ｃ，３ｃとで左右略対称に構成されている。
【００５６】
グリルシャッタユニット３は、車幅方向に延びる複数のシャッタ３０と、シャッタ３０を開閉駆動（揺動）するアクチュエータ３１（図３、図８参照）と、アクチュエータ３１の駆動力をシャッタ３０に伝達する揺動リンク７０（７１，７４）（図２参照）と、シュラウド２側へ取り付けられ、シャッタ３０および揺動リンク７０を保持するフレーム６０（６１ａ，６１ｂ，６１ｃ，６３，６４）とを備えている。各分割ユニット３ａ〜３ｃには、シャッタ３０、揺動リンク７０およびフレーム６０を基本的な構成要素として備えている。
【００５７】
シャッタ３０は、分割ユニット３ａ〜３ｃごとに上下方向に複数配設されている。本実施形態では図３に示すように、左右各側において、上段ユニット３ａには４枚、中段ユニット３ｂには２枚、下段ユニット３ｃには５枚が夫々上下方向に配設されており、夫々に対応する上段、中段、下段の各開口部８ａ，８ｂ，８ｃを開閉可能としている。
【００５８】
ここで、上段ユニット３ａに備えた４枚の各シャッタ３０を、図１に示すように、上段シャッタ３０ａとし、図３に示すように、上から下へ順に第１〜第４の上段シャッタ３０ａ１〜３０ａ４に設定する。同様に、中段ユニット３ｂに備えた２枚の各シャッタ３０を、中段シャッタ３０ｂとし、上から下へ順に第１中段シャッタ３０ｂ、第２中段シャッタ３０ｂ２に設定し、下段ユニット３ｃに備えた５枚の各シャッタ３０を、下段シャッタ３０ｃとし、上から下へ順に第１〜第５の下段シャッタ３０ｃ１〜３０ｃ５に設定する。
【００５９】
また、上述したように、シュラウド２の前面における、上段開口部８ａおよび下段開口部８ｃの各周縁２７ａ，２７ｃが共に中段開口部８ｂの周縁２７ｂに対して前方へ隆起して形成したことに対応して（図１参照）、図１、図１０に示すように、上段シャッタ３０ａ、下段シャッタ３０ｃは、共に中段シャッタ３０ｂよりも若干前方に配置されている。
【００６０】
シュラウド２に有する開口部８は、上述したように、その中段開口部８ｂの車幅方向外縁８ｂｏの位置が、上段開口部８ａおよび下段開口部８ｃの各車幅方向外縁８ａｏ，８ｃｏよりも車幅方向内側に位置するように形成されているが（図１、図４参照）、それに対応してシャッタ３０は、図１〜図３に示すように、中段シャッタ３０ｂの各車幅方向外縁３０ｂｏが、上段シャッタ３０ａおよび下段シャッタ３０ｃの各車幅方向外縁３０ａｏ，３０ｃｏよりも車幅方向内側に位置するように形成されている。
【００６１】
これにより上段、中段、下段の各ユニット３ａ〜３ｃに備えた各シャッタ３０ａ，３０ｂ，３０ｃは、その車幅方向の長さが、上段、中段、下段の各開口部８ａ，８ｂ，８ｃの車幅方向の開口長さに対して同等、又は若干短い長さで形成されている（図１、図２参照）。
【００６２】
シャッタ３０は、図３に示すように、その車幅方向外縁から車幅方向外側へ突出するシャッタ軸３４ｏと、車幅方向内縁から車幅方向内側へ突出するシャッタ軸３４ｉとを備え、これら左右一対のシャッタ軸３４ｏ，３４ｉは、車幅方向に沿って同軸に延びている。
【００６３】
図２、図３に示すように、フレーム６０は、シャッタ３０の車幅方向外側のシャッタ軸３４ｉを軸支する幅外フレーム６１ａ，６１ｂ，６１ｃと、シャッタ３０の車幅方向内側のシャッタ軸３４ｉを軸支するセンタフレーム６３，６４とを備えている。さらに図２、図３、図５に示すように、センタフレーム６３，６４は、第１センタフレーム６３と、該第１センタフレーム６３の上方かつ左右各側に配設された左右一対の第２センタフレーム６４，６４とを備えている。
【００６４】
第１センタフレーム６３は、全ての分割ユニット３ａ〜３ｃに共通するフレームとして備え、図１、図２、図８に示すように、シュラウド２の車幅方向の中央部にてセンタステー２４と車幅方向に一致するようにセンタステー２４の背面に取り付けられている。
【００６５】
図２、図３、図５、図６（ａ）に示すように、第１センタフレーム６３は、センタステー２４の上端から下端の間にかけて上下方向に延びており、センタステー２４に対応して、下側の幅広部６３ｗと、該幅広部６３ｗよりも上方に位置する幅小部６３ｓとを有して形成されている（図３参照）。
【００６６】
図３、図５、図８に示すように、第１センタフレーム６３の下方側には、アクチュエータ３１を収容するアクチュエータ収容部６５が設けられている。当例では、この１つのアクチュエータ３１によってグリルシャッタユニット３に備えた全てのシャッタ３０を直接、又は間接的に開閉駆動するものである。
【００６７】
アクチュエータ収容部６５は、第１センタフレーム６３の幅広部６３ｗの上下方向における、シュラウド２の下段開口部８ｃに対応する部位に配設されており、アクチュエータ３１は、このアクチュエータ収容部６５に収容されることにより、センタステー２４の下方側の背面側に配設されている（図８参照）。
【００６８】
詳しくは、図３、図５、図６（ａ）、図８に示すように、アクチュエータ収容部６５は、第１センタフレーム６３においてアクチュエータ３１の下部を前方から覆う前壁部６５ａと、背面側上部を覆う後壁部６５ｂと、車幅方向の両側を覆う両サイドの側壁部６５ｃ，６５ｃ（図５参照）とを有して形成されている。
【００６９】
ここで、図８並びに、図３中のＧ−Ｇ線要部断面図としての図１２（ｂ）に示すように、アクチュエータ３１の上部には、左右両サイドから車幅外方へ突出するモータ軸３１ａ，３１ａ（駆動軸とも称する）を備え、アクチュエータ３１は、その左右一対のモータ軸３１ａ，３１ａが下段第２シャッタ３０ｃ２のシャッタ軸３４ｉ（以下、「下段第２シャッタ軸３４０ｉ」と称する）と側面視で一致するように、すなわち同軸となるように（図１２（ｂ）参照）第１センタフレーム６３に固定されている（図８参照）。
【００７０】
また図２、図６（ａ）、図８に示すように、上述した第１センタフレーム６３は、センタステー２４と一体となってシュラウド２の上側幅中央２１Ｍと下側幅中央２２Ｍとが連結するように該センタステー２４に取付けられている。
【００７１】
具体的には図３に示すように、第１センタフレーム６３には、複数の貫通穴６３ａが上下方向に沿って形成されている。  
本実施形態では、図３、図５、図６に示すように、貫通穴６３ａは、第１センタフレーム６３の幅小部６３ｓの車幅方向中央部に沿った上下各部と、幅広部６３ｗの上部の車幅方向中央部に対して若干左右各側にずれた部位（中段開口部８ｂに対応する部位の上下各部）と、幅広部６３ｗの上下方向の中央部（下段開口部８ｃの上端に対応する部位）の左右両サイドと、幅広部６３ｗの下部（下段開口部８ｃの下部に対応する部位）の左右両サイドとの少なくとも合計８つが形成されている。
【００７２】
一方、図６（ａ）、図８に示すように、センタステー２４の背面の正面視で第１センタフレーム６３に設けた各貫通穴６３ａに対応する部位には、ネジ挿通穴２４ａが形成されている。
【００７３】
そして図２、図６（ａ）に示すように、夫々のネジ挿通穴２４ａおよび貫通穴６３ａに、タッピングネジＴを背面側から挿通することでシャッタ支持部６６ｉが構成され、第１センタフレーム６３がセンタステー２４に一体に締結固定されている。
【００７４】
第１センタフレーム６３は、これら複数（８つ）のシャッタ支持部６６ｉのうち、最上部に位置するシャッタ支持部６６ｉａ（図６（ａ）、図８参照）にて、シュラウドアッパ２１の車幅方向中央部に一体形成されたセンタステー２４の上部に取り付けられている。
【００７５】
すなわち、シュラウド２の上側幅中央２１Ｍは、シュラウドアッパ２１の車幅方向中央部と、最上部に位置するシャッタ支持部６６ｉａを含むセンタステー２４の上部とに相当する部位である（図２、図６（ａ）参照）。
【００７６】
同様に、第１センタフレーム６３は、これら複数（８つ）のシャッタ支持部６６ｉのうち、最下部に位置するシャッタ支持部６６ｉｂ（図６（ａ）参照）にて、シュラウドロア２２の車幅方向中央部に一体形成されたセンタステー２４の下部に取り付けられている。
【００７７】
すなわち、シュラウド２の下側幅中央２２Ｍは、シュラウドロア２２の車幅方向中央部と、最下部に位置するシャッタ支持部６６ｉｂを含むセンタステー２４の下部とに相当する部位である（図２、図６（ａ）参照）。
【００７８】
図３、図５に示すように、第１センタフレーム６３の左右両サイドの上下方向の各側には、上段、中段、下段の各分割ユニット３ａ〜３ｃに備えた各シャッタ３０の車幅方向内側に有するシャッタ軸３４ｉを軸支する軸支部６７ｉａ，６７ｉｂ，６７ｉｃが設けられている。
【００７９】
具体的には、第１センタフレーム６３の幅小部６３ｓの上下各部には、第３上段シャッタ３０ａ３および第４上段シャッタ３０ａ４の車幅方向内側に有する各シャッタ軸３４ｉを軸支する軸支部６７ｉａが設けられている。
【００８０】
さらに第１センタフレーム６３の幅広部６３ｗの上下方向の中段開口部８ｂに対応する部位の上下各部には、中段シャッタ３０ｂ１，３０ｂ２の車幅方向内側に有する各シャッタ軸３４ｉを軸支する軸支部６７ｉｂが設けられている。
【００８１】
同じく第１センタフレーム６３の幅広部６３ｗの上下方向の下段開口部８ｃに対応する部位の上下各部には、例えば、図５、並びに図３中のＦ−Ｆ線要部断面図としての図１２（ａ）に示すように、下段第２シャッタ３０ｃ２以外の各下段シャッタ３０ｃ１，３０ｃ３〜３０ｃ５の車幅方向内側に有する各シャッタ軸３４ｉを軸支する軸支部６７ｉｃが設けられている。
【００８２】
但し、上述したように、下段第２シャッタ軸３４０ｉは、第１センタフレーム６３によって軸支されておらず、第１センタフレーム６３に備えたアクチュエータ３１から突出するモータ軸３１ａに直結しており（図１２（ｂ）参照）、これにより、左右両側において下段第２シャッタ軸３４０ｉはモータ軸３１ａに軸支されている。すなわち図３、図５に示すように、第１センタフレーム６３の左右側壁部の下段第２シャッタ軸３４０ｉに対応する部位には、該下段第２シャッタ軸３４０ｉを軸支する軸支部６７ｉｃを形成しておらず、下段第２シャッタ軸３４０ｉの挿通を許容してモータ軸３１ａに連結可能とすべく下段第２シャッタ軸３４０ｉよりも大径に形成した大径貫通穴６３ｂが設けられている（図３、図５、図１２（ｂ）参照）。
【００８３】
図２、図３、図５に示すように、第２センタフレーム６４は、ラッチ収容部９の車幅方向両側に、第１センタフレーム６３と独立して（別部材で）上段ユニット３ａの一部として配設されている。第２センタフレーム６４は、上段第１シャッタ３ａ１および上段第２シャッタ３ａ２の車幅方向内側に有する各シャッタ軸３４ｉを軸支する軸支部６７ｉａが設けられている。
【００８４】
図２、図３、図１１に示すように、上述した第２センタフレーム６４も第１センタフレーム６３と同様にシュラウド２の背面側から締結固定されている。
【００８５】
具体的には図５に示すように、第２センタフレーム６４には、貫通穴６４ａが形成されるとともに、図１１に示すように、シュラウド２における、第２センタフレーム６４に形成した該貫通穴６４ａに対応する部位には、ネジ挿通穴２２ａが形成されている。
【００８６】
そして、これらネジ挿通穴２２ａおよび貫通穴６４ａに、タッピングネジＴを背面側から挿通することでシャッタ支持部６６ｉが構成され、第２センタフレーム６４がシュラウド２に一体に締結固定されている。
【００８７】
図２、図３に示すように、幅外フレーム６１ａ，６１ｂ，６１ｃは、上段ユニット３ａ、中段ユニット３ｂおよび下段ユニット３ｃの夫々に対応して上段幅外フレーム６１ａ、中段幅外フレーム６１ｂ、下段幅外フレーム６１ｃを左右各側に備えている。
【００８８】
図３に示すように、上段幅外フレーム６１ａの上下方向の各側には、上段シャッタ３０ａ１〜３０ａ４の車幅方向外側に有する各シャッタ軸３４ｏを軸支する軸支部６７ｏａが設けられている。
【００８９】
同図に示すように、中段幅外フレーム６１ｂの上下方向の各側には、中段シャッタ３０ｂ１，３０ｂ２の車幅方向外側に有する各シャッタ軸３４ｏを軸支する軸支部６７ｏｂが設けられるとともに下段幅外フレーム６１ｃの上下方向の各側には、下段シャッタ３０ａ１〜３０ａ５の車幅方向外側に有する各シャッタ軸３４ｏを軸支する軸支部６７ｏｃが設けられている。
【００９０】
図２、図３に示すように、上述した幅外フレーム６１ａ，６１ｂ，６１ｃは、第１、第２センタフレーム６３，６４と同様にシュラウド２の背面側から締結固定されている。
【００９１】
具体的には、上段、下段の各幅外フレーム６１ａ，６１ｃの上下各部、および中段幅外フレーム６１ｂの上下方向の中間部には、それぞれ貫通穴６１ｄが形成されるとともに（図３参照）、図１１に示すように、シュラウド２における、これら貫通穴６１ｄに対応する部位には、ネジ挿通穴２２ｂが形成されている。但し、図１１では複数の貫通穴６１ｄのうち最上位置の貫通穴６１ｄに対応するネジ挿通穴２２ｂのみ図示している。
【００９２】
そして図２、図１１に示すように、夫々のネジ挿通穴２２ｂおよび貫通穴６１ｄに、タッピングネジＴを背面側から挿通することでシャッタ支持部６６ｏを構成するとともに、上段、中段、下段の各幅外フレーム６１ａ，６１ｂ，６１ｃをシュラウド２に、その背面側から一体に締結固定している。
【００９３】
これにより、図１、図２、図４、図７に示すように、上記のブラケット６（図４、図７参照）は、上下方向において上段幅外フレーム６１ａ（図２参照）と下段幅外フレーム６１ｃ（同図参照）の間に跨ってブラケット取付面部２６へ取り付けられる。
【００９４】
すなわち、ブラケット６のブラケット取付面部２６へ締結する上下各側の締結部２６ｃ，２６ｃのうち、上側の締結部２６ｃは、上段幅外フレーム６１ａと上下方向に一致（オーバーラップ）する部位に設けられるとともに、下側の締結部２６ｃは、下段幅外フレーム６１ｃと上下方向に一致（オーバーラップ）する部位に設けられている（同図参照）。
【００９５】
また図２、図１１に示すように、これら複数のシャッタ支持部６６ｏのうち最上位に位置するシャッタ支持部６６ｏは、ボックス形状部１０およびマウント装置５と上下方向において略一致する部位に設けられている。換言すると、この最上位に位置するシャッタ支持部６６ｏは、ボックス形状部１０の車幅方向内側の側壁部１３ｉから車幅方向内側へ略水平に上段開口部８ａの車幅方向外縁８ａｏの手前側まで延出した部位に設けられている（図１１参照）。
【００９６】
続いて揺動リンク７０について説明する。  
図２、図３、図５、図６（ａ）に示すように、揺動リンク７０は、車幅方向の中央部の左右各側に備えた左右一対の第１揺動リンク７１，７１と、上段ユニット３ａの一部として、グリルシャッタユニット３の車幅方向両外側かつ上部に備えた左右一対の第２揺動リンク７４，７４（図２、図３参照）とで構成される。
【００９７】
図３、図５、図１２（ａ）、（ｂ）に示すように、第１揺動リンク７１は、左右各側において、複数のシャッタ３０と第１センタフレーム６３との車幅方向の間に介在するように配設されるとともに、シャッタ軸３４ｉ，３４０ｉよりも背面側に配設されている。
【００９８】
左右一対の第１揺動リンク７１，７１は、センタ揺動リンクユニット７５の一部として、上下各側に幅小部６３ｓと幅広部６３ｗとを有する第１センタフレーム６３の左右各側の側部形状に沿ってクランク状に左右略対称形状で形成されている（図３、図５、図６（ａ）参照）。
【００９９】
すなわち、図２、図３、図５、図６（ａ）、図８、図１２に示すように、センタ揺動リンクユニット７５は、左右一対の第１揺動リンク７１，７１と、これら７１，７１を上下方向の各部位において第１センタフレーム６３の背面側で車幅方向に連結する複数の背面側連結部７２（図６（ａ）参照）とで一体に形成されている。
【０１００】
図２、図６（ａ）、（ｂ）、図１２（ａ）、（ｂ）、図１３（ａ）、（ｂ）に示すように、左右一対の第１揺動リンク７１，７１（図５参照）には、その車幅方向外面から車幅方向の外側へ向けて突出する複数の揺動軸７３ｉが枢着されている。これら揺動軸７３ｉは、第１揺動リンク７１の車幅方向外側において上下方向に配設された各シャッタ３０に対応して上下方向に設けられている。そして、揺動軸７３ｉは、シャッタ３０の車幅方向内側の端面における、シャッタ軸３４ｉ（３４０ｉも含む）に対して偏心した位置（ずらした位置）に軸支されている（図１３（ａ）、（ｂ）参照）。
【０１０１】
ここで図６（ａ）、（ｂ）、図１３（ａ）、（ｂ）に示すように、左右一対の第１揺動リンク７１，７１の上下方向に有する複数の揺動軸７３ｉのうち、下段第２シャッタ３０ｃ２に軸支される揺動軸７３ｉを下段第２揺動軸７３ｉａに設定する。  
上述したとおり、下段第２シャッタ軸３４０ｉはモータ軸３１ａに直結されているため（図１２（ｂ）参照）、アクチュエータ３１が駆動すると、該アクチュエータ３１の駆動力が第１揺動リンク７１を介さずにダイレクトに下段第２シャッタ３０ｃ２に伝わり該下段第２シャッタ３０ｃ２が開閉駆動（揺動）する。
【０１０２】
この下段第２シャッタ３０ｃ２の駆動に伴って下段第２揺動軸７３ｉａが下段第２シャッタ軸３４０ｉ回りに揺動する。この下段第２揺動軸７３ｉａの揺動に伴って第１揺動リンク７１が上下方向に揺動するため、該第１揺動リンク７１に枢着された下段第２揺動軸７３ｉａ以外の他の揺動軸７３ｉも揺動することになる。
【０１０３】
すなわち、第１センタフレーム６３に軸支された、下段第２シャッタ３ｃ２以外の他のシャッタ３０（３０ａ３，３０ａ４，３０ｂ１，３０ｂ２，３０ｃ１，３０ｃ３〜３０ｃ５）についても揺動させることができる。
【０１０４】
例えば、シャッタ３０による下段開口部８ｃの開閉に着目して説明すると、下段シャッタ３０ｃが図１３（ａ）に示すような開状態においては、第１揺動リンク７１は図１４（ａ）に示すように下方に位置し、そのような開状態からアクチュエータ３１の駆動によりそのモータ軸３１ａが例えば、図１４（ｂ）に示すように、反時計回りに９０度回動すると（図１４（ｂ）中の矢印ｄ２参照）、下段第２シャッタ３０ｃ２が下段第２揺動軸７３ｉａごと下段第２シャッタ軸３４０ｉ回りに反時計回りに９０度回動する（図１３（ｂ）中の矢印ｄ２参照）。
【０１０５】
これにより、図１３（ｂ）に示すように下段第２シャッタ３０ｃ２が閉状態となる。それと同時に、下段第２揺動軸７３ｉａの上記回動に伴って図１４（ｂ）に示すように揺動第１揺動リンク７１が上動し（図１４（ｂ）中の矢印ｄｕ参照）、これに連動して下段第２シャッタ軸３４０ｉ以外の下段シャッタ３０ｃ１，３０ｃ３〜３０ｃ５の夫々の揺動軸７３ｉが反時計回りに９０度回動することによって（図１４（ｂ）中の矢印ｄ１，ｄ３〜ｄ５参照）、該下段シャッタ３０ｃ１，３０ｃ３〜３０ｃ５が閉状態となる（図１３（ｂ）中の矢印ｄ１，ｄ３〜ｄ５参照）。
【０１０６】
図２、図３に示すように、第２揺動リンク７４は、左右各側の上段ユニット３ａにおいて、上段シャッタ３０ａと上段幅外フレーム６１ａとの車幅方向の間に介在するように配設されるとともに、これら上段シャッタ３０ａの夫々に設けられた車幅方向外側のシャッタ軸３４ｏよりも背面側に配設されている。
【０１０７】
左右両側の第２揺動リンク７４，７４には、その車幅方向内側端面から車幅方向の内側へ向けて突出する揺動軸７３ｏが一体に形成されており（図２参照）、該揺動軸７３ｏは、各上段ユニット３０ａに対応して上下方向に設けられている。すなわち、揺動軸７３ｏは、上述した揺動軸７３ｉと同様に、車両側面視でシャッタ軸３４ｏ（図３参照）に対して偏心した位置（ずらした位置）となるようにシャッタ３０の車幅方向の外端面に枢着されている。
【０１０８】
ここで上段ユニット３ａに着目すると、アクチュエータ３１の駆動によって上述したように、第１揺動リンク７１が揺動することに伴って上段第３シャッタ３０ａ３および上段第４シャッタ３０ａ４が直線的に揺動する一方で、上段第１シャッタ３０ａ１および上段第２シャッタ３０ａ２ついては第１揺動リンク７１に直接連結されていないため、直接的に揺動させることができない。
【０１０９】
しかしながら上段第１シャッタ３０ａ１および上段第２シャッタ３０ａ２は、
第２揺動リンク７４を介して上段第３シャッタ３０ａ３および上段第４シャッタ３０ａ４に連結されているため、上段第３シャッタ３０ａ３および上段第４シャッタ３０ａ４が揺動するに伴って第３、第２揺動リンク７４を介して上段第１シャッタ３０ａ１および上段第２シャッタ３０ａ２についても揺動させることができる。
【０１１０】
本実施の形態の自動車のグリルシャッタ取付構造１は、枠状のシュラウド２に、車幅方向に延びる複数のシャッタ３０を備えたグリルシャッタユニット３が取付けられる構造であって、シュラウドアッパ２１の幅方向中央部（シュラウドアッパ幅中央）とシュラウドロア２２の幅方向中央部（シュラウドロア幅中央）とに連結する上下方向に延びるセンタステー２４が設けられ（図１、図８参照）、グリルシャッタユニット３がシュラウド２の背面側に取り付けられるとともに、グリルシャッタユニット３における、センタステー２４の背面側の部位に、シャッタ３０開閉駆動用のアクチュエータ３１が配設されたものである（図３、図８参照）。
【０１１１】
上記構成によれば、アクチュエータ３１をグリルシャッタユニット３の正面視で車幅方向の中央部に位置するセンタステー２４に配設することで、例えば、該センタステー２４に対して左右両側のシャッタ３０をバランスよくスムーズに開閉させることができつつ、センタステー２４の背面側のデッド空間を利用してアクチュエータ３１を配設でき、レイアウト性能を向上できる。
【０１１２】
しかも、アクチュエータ３１を、シュラウド２の車幅方向の中間に位置するセンタステー２４に配設することで、シュラウド２の車幅方向の両側又は一方のシュラウドサイド２３に配設する場合と比較して上述したように左右両側のシャッタ３０をバランスよく開閉できるため、アクチュエータ３１の容量や揺動リンク７０が大型化、複雑化することもなく、この点でもレイアウト性を高めることができる。
【０１１３】
この発明の態様として、センタステー２４が、その下方側が上方側に対し幅広に形成されており（図１参照）、センタステー２４の下方側の背面側に、アクチュエータ３１が配設されたものである（図３、図５、図８参照）。
【０１１４】
上記構成によれば、シュラウドロア２２の幅方向中央部とセンタステー２４との連結部位の剛性向上を図りつつ、アクチュエータ３１を備えたグリルシャッタユニット３の重心位置を下げることができる。
【０１１５】
詳しくは、上記構成によれば、センタステー２４を、その下方側が上方側に対し幅広に形成したため、シュラウドロア２２の幅方向中央部とセンタステー２４との連結部位の剛性向上を図ることができる。
【０１１６】
さらに上述したように、センタステー２４の下方側を幅広に形成することに加えて、アクチュエータ３１をセンタステー２４の下方側の背面側に位置するグリルシャッタユニット３側の部位（つまり第１センタフレーム６３）に配設したため、該グリルシャッタユニット３の重心位置を下げることができる。
【０１１７】
この発明の態様として、グリルシャッタユニット３に備えたセンタフレーム６３，６４のうち、第１センタフレーム６３がセンタステー２４に沿ってその背面側に取付けられるとともに（図２、図６（ａ）、図８参照）、第１センタフレーム６３の上下方向におけるアクチュエータ３１の配設部位を、それ以外の部位より幅広に形成し（図２、図３、図５、図８参照）、アクチュエータ３１の配設部位に、アクチュエータ３１を収容するアクチュエータ収容部６５が形成されたものである（図３、図５、図８参照）。
【０１１８】
上記構成によれば、センタフレーム６３，６４の上下方向におけるアクチュエータ３１の配設部位を、センタステー２４の幅に合わせて幅広に形成することにより、該アクチュエータ３１の配設部位に、アクチュエータ３１を収容可能なアクチュエータ収容部６５を形成することができる。
【０１１９】
この発明の態様として、アクチュエータ３１の駆動力をシャッタ３０に伝達する揺動リンク７０（７１，７４）のうち第１揺動リンク７１が第１センタフレーム６３に沿って配設されたものである（図３、図５、図６（ａ）参照）。
【０１２０】
上記構成によれば、第１揺動リンク７１をアクチュエータ３１と共にグリルシャッタユニット３の車幅方向の中央に配置（いわゆるセンタ配置）することで、第１揺動リンク７１を複雑化したり大型化することがなく、アクチュエータ３１の駆動力を、該アクチュエータ３１に直近に配置した第１揺動リンク７１を介してシャッタ３０へ効率よく伝達することができる。
【０１２１】
上記構成によれば、センタフレーム６３，６４に対して左右各側に分割して配置されるサイドユニットとして、右側の分割ユニット３ａ，３ｂ，３ｃおよび左側の分割ユニット３ａ，３ｂ，３ｃを備えた構成を採用したグリルシャッタユニット３において、アクチュエータ３１は、右側の分割ユニット３ａ，３ｂ，３ｃおよび左側の分割ユニット３ａ，３ｂ，３ｃの夫々に備えたシャッタ３０を、第１センタフレーム６３（および第２センタフレーム６４）によって第１揺動リンク７１を介してグリルシャッタユニット３の幅方向の中央側からバランスよく開閉駆動させることができる。
【０１２２】
この発明の態様として、グリルシャッタユニット３には、第１センタフレーム６３（および第２センタフレーム６４）に対して左右各側に分割して配置されるサイドユニットとして、右側の分割ユニット３ａ，３ｂ，３ｃおよび左側の分割ユニット３ａ，３ｂ，３ｃを備えるとともに（図１〜図３、図５参照）、右側の分割ユニット３ａ，３ｂ，３ｃおよび左側の分割ユニット３ａ，３ｂ，３ｃの左右各側の車幅方向の第１センタフレーム６３側の端部に第１揺動リンク７１，７１を備え（図２、図６（ａ）、（ｂ）参照）、左右各側の第１揺動リンク７１，７１が第１センタフレーム６３の背面側で互いに連結するようにセンタ駆動リンクユニット７５として一体的に形成されたものである（図３、図４、図６（ａ）、図８参照）。
【０１２３】
上述したように、左右各第１揺動リンク７１，７１を、第１センタフレーム６３の背面側で背面側連結部７２によって連結して一体的に形成することにより、第１揺動リンク７１の剛性を向上できることに加えて、アクチュエータ３１の駆動力を、左右各側の第１揺動リンク７１，７が協働して左右各側の分割ユニット３ａ，３ｂ，３ｃに備えたシャッタ３０に伝達できるため、例えば、揺動リンクを左右各側で独立して構成し、左右各側の分割ユニット３ａ，３ｂ，３ｃに備えたシャッタ３０にアクチュエータ３１の駆動力を左右独立して設けた揺動リンクを介して伝達する場合よりもシャッタ３０の開閉駆動をスムーズに行うことができる。
【０１２４】
この発明の態様として、シュラウドアッパ２１の車幅方向の中央部に、ボンネットのラッチ（図示省略）を収容するラッチ収容部９が上段開口部８ａ側（車幅方向外側）に突出して形成されるとともに（図１、図２参照）、ラッチ収容部９に対して左右両側には、第１揺動リンク７１によって直接駆動されない間接揺動シャッタとしての第１上段シャッタ３０ａ１および第２上段シャッタ３０ａ２が配設され（図１〜図３、図５参照）、第１揺動リンク７１とは異なる第２揺動リンク７４によって、第１上段シャッタ３０ａ１および第２上段シャッタ３０ａ２を駆動可能にこれらシャッタ３０ａ１，３０ａ２の車幅方向の外方側に設けられたものである（図２、図３参照）。
【０１２５】
上記構成によれば、ラッチ収容部９を形成することに伴ってその左右両側に配設された第１上段シャッタ３０ａ１および第２上段シャッタ３０ａ２が、第１揺動リンク７１によって直接駆動されない構成となっても、これらシャッタ３０ａ１，３０ａ２を第２揺動リンク７４によってスムーズに開閉駆動させることができる。
【０１２６】
さらに、本実施形態の自動車のグリルシャッタ取付構造１は、グリルシャッタユニット３の車幅方向の中央にアクチュエータ３１を配置した構成（いわゆるセンタ配置）を採用したため、アクチュエータ３１によって、左右各側の第１上段シャッタ３０ａ１および第２上段シャッタ３０ａ２や、これらシャッタ３０ａ１，３０ａ２の車幅方向の外方側に設けられた第２揺動リンク７４，７４についても左右両側共にバランスよく駆動させることができる。
【０１２７】
この発明は、上述の実施例の構成のみに限定されるものではなく様々な実施形態で形成することができる。  
例えば、上述した実施形態ではシャッタ軸３４ｉ，３４ｏをシャッタ３０側に設けて該シャッタ軸３４ｉ，３４ｏによりフレーム６０（６１ａ，６１ｂ，６１ｃ，６３，６４）を軸支する構成を採用したが、これに限らず、例えば、シャッタ軸３４ｉ，３４ｏをフレーム６０（６１ａ，６１ｂ，６１ｃ，６３，６４）側に設けて該シャッタ軸３４ｉ，３４ｏによりシャッタ３０を軸支する構成を採用してもよい。
【０１２８】
また上述した実施形態では揺動軸７３ｉ，７３ｏを第１、第２揺動リンク７１，７４側に設けて該揺動軸７３ｉ，７３ｏによりシャッタ３０を軸支する構成を採用したが、これに限らず、例えば、揺動軸７３ｉ，７３ｏをシャッタ３０側に設けて該揺動軸７３ｉ，７３ｏにより第１、第２揺動リンク７１，７４を軸支する構成を採用してもよい。
【符号の説明】
【０１２９】
１…自動車のグリルシャッタ取付構造
２…シュラウド
３…グリルシャッタユニット
３ａ，３ｂ，３ｃ…分割ユニット（サイドユニット）
８…開口部
９…ラッチ収容部
２１…シュラウドアッパ
２２…シュラウドロア
２４…センタステー
３０…シャッタ
３０ａ１…上段第１シャッタ（間接揺動シャッタ）
３０ａ２…上段第２シャッタ（間接揺動シャッタ）
３１…アクチュエータ
６３…第１センタフレーム（センタフレーム）
６５…アクチュエータ収容部
７１…第１揺動リンク（駆動リンク）
７２…第２揺動リンク（第２駆動リンク）
【図１】
2019010954.tif 000003
【図２】
2019010954.tif 000004
【図３】
2019010954.tif 000005
【図４】
2019010954.tif 000006
【図５】
2019010954.tif 000007
【図６】
2019010954.tif 000008
【図７】
2019010954.tif 000009
【図８】
2019010954.tif 000010
【図９】
2019010954.tif 000011
【図１０】
2019010954.tif 000012
【図１１】
2019010954.tif 000013
【図１２】
2019010954.tif 000014
【図１３】
2019010954.tif 000015
【図１４】
2019010954.tif 000016
【手続補正書】
【提出日】平成30年10月22日(2018.10.22)
【手続補正１】
【補正対象書類名】明細書
【補正対象項目名】全文
【補正方法】変更
【補正の内容】
【発明の詳細な説明】
【技術分野】
【０００１】
この発明は、枠状のシュラウドに、車幅方向に延びる複数のシャッタを備えたグリルシャッタユニットが取付けられる自動車のグリルシャッタ取付構造に関する。
【背景技術】
【０００２】
特許文献１に例示されるように、自動車のグリルシャッタ取付構造として、車両の運転状態に応じてラジエータに対する外気の導入を制御すべくシャッタを開閉駆動するアクチュエータを備えたものが知られている。
【０００３】
特許文献１における、アクチュエータを含んだ開閉駆動手段（３６）は、グリルシャッタユニット（３０）に備えたユニット枠部（３１）の両サイドに有する側壁部（４３，４３）のうち一方（右側）の側壁部（４３）側に備えたものである（特許文献１の図９、図１１参照）。
【０００４】
しかしながら、開閉駆動手段（３６）を、このようにグリルシャッタユニット（３０）の側壁部（４３）に備えた構成においては、該側壁部（４３）に対して車幅方向外側に張り出した取付フランジ（４６）に取り付けられるため（特許文献１の同図参照）、側壁部（４３）よりも車幅方向外側へ突出した開閉駆動手段（３６）が側壁部（４３）の周辺に存在するセンサや導風部材等の補機との干渉のおそれが生じる一方で、開閉駆動手段（３６）を側壁部（４３）よりも車幅方向内側に配設した場合には、該開閉駆動手段（３６）がシュラウド部材（２０）の開口を塞ぐことになり、開口面積の縮小化につながるおそれがある。このように開閉駆動手段（３６）を備えた構成においては、レイアウト上の制約を受け易いため検討の余地があった。
【先行技術文献】
【特許文献】
【０００５】
【特許文献１】特開２０１４−１９８５０９号公報
【発明の概要】
【発明が解決しようとする課題】
【０００６】
そこで、本発明は、シャッタを開閉駆動するアクチュエータを備えた構成においてもレイアウト性能を確保することができる自動車のグリルシャッタ取付構造の提供を目的とする。
【課題を解決するための手段】
【０００７】
この発明による自動車のグリルシャッタ取付構造は、枠状のシュラウドに、車幅方向に延びる複数のシャッタを備えたグリルシャッタユニットが取付けられる自動車のグリルシャッタ取付構造であって、シュラウドアッパ幅中央とシュラウドロア幅中央とに連結する上下方向に延びるセンタステーが設けられ、上記グリルシャッタユニットが上記シュラウドの背面側に取り付けられるとともに、上記グリルシャッタユニットにおける、上記センタステーの背面側の部位に、上記シャッタ開閉駆動用のアクチュエータが配設され、上記グリルシャッタユニットに備えたセンタフレームが、上記センタステーに沿ってその背面側に取付けられるとともに、上記センタフレームの上下方向におけるアクチュエータの配設部位を、それ以外の部位より幅広に形成し、上記アクチュエータの配設部位に、上記アクチュエータを収容するアクチュエータ収容部が形成され、上記アクチュエータの駆動力を上記シャッタに伝達する駆動リンクが上記センタフレームに沿って配設され、上記シュラウドアッパ幅中央に、ボンネットのラッチを収容するラッチ収容部が、枠状の上記シュラウドの正面視内側に有する開口部側に突出して形成されるとともに、上記ラッチ収容部に対して左右両側には、上記駆動リンクによって直接駆動されない間接揺動シャッタが配設され、上記駆動リンクとは異なる第２の駆動リンクが、上記間接揺動シャッタを駆動可能に該間接揺動シャッタの車幅方向の外方側に設けられたものである。
【０００８】
上記構成によれば、センタステー背面側のデッド空間を利用してアクチュエータを配設でき、レイアウト性能を向上できる。
【０００９】
また、上記グリルシャッタユニットに備えたセンタフレームが、上記センタステーに沿ってその背面側に取付けられるとともに、上記センタフレームの上下方向におけるアクチュエータの配設部位を、それ以外の部位より幅広に形成し、上記アクチュエータの配設部位に、上記アクチュエータを収容するアクチュエータ収容部が形成されたものであり、上記センタフレームの上下方向におけるアクチュエータの配設部位を、上記センタステーの幅に合わせて幅広に形成することにより、該アクチュエータの配設部位に、アクチュエータを収容可能なアクチュエータ収容部を形成することができる。
【００１０】
さらに、上記アクチュエータの駆動力を上記シャッタに伝達する駆動リンクが上記センタフレームに沿って配設されたものであり、上記グリルシャッタユニットの車幅方向の中央に駆動リンクを配置（いわゆるセンタ配置）することにより、駆動リンクを介したシャッタの駆動をスムーズに行うことができる。
【００１１】
しかも、上記シュラウドアッパ幅中央に、ボンネットのラッチを収容するラッチ収容部が、枠状の上記シュラウドの正面視内側に有する開口部側に突出して形成されるとともに、上記ラッチ収容部に対して左右両側には、上記駆動リンクによって直接駆動されない間接揺動シャッタが配設され、上記駆動リンクとは異なる第２の駆動リンクが、上記間接揺動シャッタを駆動可能に該間接揺動シャッタの車幅方向の外方側に設けられたものであるから、ラッチ収容部を形成することに伴ってその左右両側に、上記駆動リンクによって直接駆動されない間接揺動シャッタが配設された構成においても、間接揺動シャッタを第２の駆動リンクによってスムーズに開閉駆動させることができる。
【００１２】
この発明の態様として、上記センタステーが、その下方側が上方側に対し幅広に形成されており、上記センタステーの下方側の背面側に、上記アクチュエータが配設されたものである。
【００１３】
上記構成によれば、上記シュラウドロア幅中央と上記センタステーとの連結部位（シュラウドロア）の剛性向上を図りつつ、アクチュエータを備えたグリルシャッタユニットの重心位置を下げることができる。
【００１４】
この発明の態様として、上記グリルシャッタユニットには、上記センタフレームに対して左右各側に分割して配置されるサイドユニットを備えるとともに、左右各側の上記サイドユニットの車幅方向の上記センタフレーム側端部に上記各駆動リンクを備え、左右各側の上記各駆動リンクが上記センタフレームの背面側で互いに連結するように一体的に形成されたものである。
【００１５】
上記構成によれば、駆動リンクの剛性を向上でき、センタフレームに対して左右各側のシャッタの開閉にずれが生じることなく、シャッタの開閉駆動をスムーズに行うことができる。
【発明の効果】
【００１６】
この発明によれば、シャッタを開閉駆動するアクチュエータを備えた構成においてもレイアウト性能を確保することができる。
【図面の簡単な説明】
【００１７】
【図１】本実施形態のグリルシャッタ取付構造を前方から見た斜視図。
【図２】ラジエータおよびコンデンサを取り外した状態の本実施形態のグリルシャッタ取付構造の背面図。
【図３】本実施形態のグリルシャッタユニットを示す正面図。
【図４】本実施形態のシュラウドの右側の上部および上下方向の中央部を示した斜視図。
【図５】本実施形態のグリルシャッタユニットの車幅方向中央部を前方から見た斜視図。
【図６】（ａ）は図２の第１フレームおよびその周辺を示す要部拡大図、（ｂ）は図（ａ）中の矢印Ａ、かつ紙面手前側から見た要部を示す拡大斜視図。
【図７】図２のＡ−Ａ線断面図。
【図８】図２のＢ−Ｂ線断面図。
【図９】図２のＣ−Ｃ線断面図。
【図１０】図２のＤ−Ｄ線断面図。
【図１１】図２のＥ−Ｅ線要部断面図。
【図１２】（ａ）は図３のＦ−Ｆ線の要部断面図、（ｂ）は図３のＧ−Ｇ線の要部断面図。
【図１３】（ａ）は図２のＨ−Ｈ線に沿うシャッタ開時の要部断面図、（ｂ）は図２のＨ−Ｈ線に沿うシャッタ閉時の要部断面図。
【図１４】（ａ）は図２のＩ−Ｉ線に沿うシャッタ開時の要部断面図、（ｂ）は図２のＩ−Ｉ線に沿うシャッタ閉時の要部断面図。
【発明を実施するための形態】
【００１８】
以下、図面に基づいて本発明の実施形態を詳述する。  
図中、矢印Ｆは車両前方を示し、矢印ＯＵＴは車幅方向外側（車両右側）を示し、矢印ＩＮは車幅方向内側（車両左側）を示し、矢印Ｕは車両上方を示すものとする。
【００１９】
図１〜図３に示すように、本実施形態の自動車のグリルシャッタ取付構造１は、矩形枠状のシュラウド２と、該シュラウド２に固定されたグリルシャッタユニット３を備えている。  
また、本実施形態のシュラウド２およびグリルシャッタユニット３は左右略対称形状であるため、グリルシャッタ取付構造１の車両右側の構成に基づいて説明する。
【００２０】
シュラウド２は、熱交換器としてのラジエータ４（図８〜図１１参照）およびコンデンサ４５（同図参照）を保持するとともに、ラジエータ４に対して前方から流れる走行風を導くために矩形枠状に形成されている。
【００２１】
図４〜図９の特に図４、図７に示すように、シュラウド２は、その左右両サイドにバンパビーム取付ブラケット６（以下、「ブラケット６」と称する）が取り付けられており、これら左右一対のブラケット６，６を介してバンパビーム７（図７〜１０参照）に連結されている。  
なお、図１ではブラケット６およびバンパビーム７、図４ではバンパビーム７の図示を夫々省略している。
【００２２】
このバンパビーム７は、図７〜図１０に示すように、断面ハット状のベース板７ａと板状のクロージングプレート７ｂとを有して車幅方向に延びており、図示省略するがエンジンルームの左右両サイドを前後方向に延びる不図示のフロントサイドフレームの前端に、不図示の取付プレートおよびクラッシュカンを介して取り付けられている。シュラウド２は、バンパビーム７の後側で且つ左右一対のクラッシュカン（図示省略）の間に略鉛直姿勢で配置されている。
【００２３】
図１、図２に示すように、シュラウド２は、車幅方向に延びて矩形枠状の上辺を構成するシュラウドアッパ２１と、同じく下辺を構成するシュラウドロア２２と、同じく側辺を構成するとともに、シュラウドアッパ２１およびシュラウドロア２２の左右両端を上下方向に連結する左右一対のシュラウドサイド２３，２３とを有し正面視（車両前方から後方視）で内側に前後方向に貫通する矩形状の開口部８（８ａ，８ｂ，８ｃ）を有している。
【００２４】
図１、図８に示すように、シュラウド２には、上下方向に延びてシュラウドアッパ２１の車幅方向中央部の前方側と、シュラウドロア２２の車幅方向中央部の前方側とを連結するセンタステー２４が一体に形成される。
【００２５】
さらに、シュラウド２には、車幅方向に延びて左右一対のシュラウドサイド２３，２３の上下方向の中央部を隔てた上下各部位の前方側を互いに連結するクロスステー２５ａ，２５ｂ（上側クロスステー２５ａと下側クロスステー２５ｂと）が一体に形成されている。
【００２６】
図１、図２に示すように、開口部８は、センタステー２４によって左右各側に区分けされるとともに、上下各クロスステー２５ａ，２５ｂによって上段と中段と下段とに区分けされ、合計６つに区分けされる。具体的には、開口部８は、上側クロスステー２５ａよりも上側に形成された左右各側の上段開口部８ａ，８ａと、上側クロスステー２５ａと下側クロスステー２５ｂとの間に形成された左右各側の中段開口部８ｂ，８ｂと、下側クロスステー２５ｂよりも下側に形成された左右各側の下段開口部８ｃ，８ｃとに区分けされている。
【００２７】
図１、図４に示すように、中段開口部８ｂの車幅方向外縁８ｂｏの位置は、上段開口部８ａおよび下段開口部８ｃの各車幅方向外縁８ａｏ，８ｃｏよりも車幅方向内側に位置するように形成しており、これに伴って左右両側のシュラウドサイド２３，２３の上下方向における、ブラケット６の取り付け位置２６（後述するブラケット取付面部２６）の車幅方向内側部分には、中段開口部８ｂ側へ張り出した幅広部２９が形成されている（図１、図４参照）。
【００２８】
図１に示すように、センタステー２４は、その下方側が上方側に対し幅広に形成されている。具体的には、センタステー２４は、その上下方向における下段開口部８ｃに相当する部位が、中段開口部８ｂおよび上段開口部８ａに相当する部位よりも幅広に形成されている。
【００２９】
図１、図４、図７に示すように、左右一対のシュラウドサイド２３，２３の上下方向の中央部の前面には、ブラケット６の後面部６ｒ（図４、図７参照）が当接した状態で取り付けられて締結するブラケット取付面部２６として形成されている。
【００３０】
具体的には、図７に示すように、ブラケット取付面部２６の上下各部には、ボルトＢ１挿通用の挿通孔２６ａが形成されており、ブラケット６の後面部６ｒの上下各側における挿通孔２６ａに対応する位置にも貫通孔６ａ（いわゆるバカ孔）が形成されている。上下各側の挿通孔２６ａ，２６ａには、予めカラーナットＮがインサートされている。そして、ボルトＢ１を、貫通孔６ａおよび、挿通孔２６ａにインサートされたカラーナットＮに前側から挿通することで、締結部２６ｃが構成され、ブラケット６をブラケット取付面部２６に締結固定している。
【００３１】
図１、図４に示すように、シュラウド２の前面は、上段開口部８ａおよび下段開口部８ｃの各周縁２７ａ，２７ｃが共に中段開口部８ｂの周縁２７ｂに対して前方へ隆起して形成している。
【００３２】
図１、図４、図８〜図１０に示すように、シュラウド２の前面の上下方向の中央部かつ、左右一対のブラケット取付面部２６，２６よりも車幅方向内側には、バンパビーム７の後部を収容する収容凹部２８が形成されている。この実施例では収容凹部２８は、前高後低状に傾斜する凹部上壁２８ａと、前低後高状に傾斜する凹部下壁２８ｂと、これら上下の壁部後端を上下に連結する凹部後壁２８ｃとで車両前方が開放するように凹状に形成されている。凹部上壁２８ａは上側クロスステー２５ａに形成されるとともに、凹部下壁２８ｂは下側クロスステー２５ｂに形成され、凹部後壁２８ｃに中段開口部８ｂが形成されている。
【００３３】
ところで、図１１に示すように、ラジエータ４の車幅方向外部には、リザーバタンク４１が一体的に設けられており、このリザーバタンク４１から車幅方向外方に突出する棒状の突出部４２が形成されている。突出部４２は、ラジエータ４の車幅方向両側の側部から車幅方向外側に突出する棒状に形成され、突出方向の断面形状は、四角形である（図７参照）。
【００３４】
図１１に示すように、ラジエータ４のリザーバタンク４１の前部には、コンデンサ４５を支持する支持片４３が一体形成されている。コンデンサ４５の車幅方向外側にも、リザーバタンク４６が一体的に設けられており、このリザーバタンク４６の車幅方向外部と、上述の支持片４３とをブラケット４４で連結している。
【００３５】
図７、図１１に示すように、ラジエータ４は、左右一対のシュラウドサイド２３，２３の上端近傍位置に配設されたマウント装置５，５によって支持されている。マウント装置５，５は、左右各側の突出部４２を支持するものであり、各マウント装置５は、ゴム部材等の弾性部材からなるマウントラバー５１と、マウントラバー５１を保持しつつシュラウドサイド２３に取付け支持する支持ブラケット５２を備えている。マウントラバー５１の中心部には、突出部４２が挿入嵌合する断面四角形の孔部５２ａが形成されている。
【００３６】
図１１に示すように、支持ブラケット５２は、該マウントラバー５１を介して突出部４２を保持する筒状の保持部５３と、該保持部５３の後部から車幅方向外側へ延びてシュラウドサイド２３の後端から車幅方向外端に延びる後端フランジ部５４にボルトＢ２等を用いた締結によって後方から取り付ける取付け片５５とで一体に形成している。
【００３７】
左右各シュラウドサイド２３のマウント装置５において、左右それぞれに対応する突出部４２が保持されることで、ラジエータ４およびコンデンサ４５は、２つのマウント装置５，５を介してシュラウド２に左右両サイドから支持される。
【００３８】
図７、図１１に示すように、シュラウドサイド２３の上下方向におけるマウント装置５に対応する部位に、シュラウドサイド２３の前面からボックス状（角筒状）に突出するボックス形状部１０が一体に形成されている。
【００３９】
図４、図７、図１１に示すように、ボックス形状部１０は、上壁部１１と下壁部１２と車幅方向両側の側壁部１３ｏ，１３ｉとで角筒状に形成され、さらにこれら上壁部１１、下壁部１２、側壁部１３ｏ，１３ｉの内側の空間を前端にて覆う前壁部１４とを有して一体に形成されている。  
前壁部１４には、不図示のエアバッグセンサのプロテクタを取り付ける取付孔１４ａが設けられている（図４、図１１参照）。
【００４０】
図４、図７、図１１に示すように、上壁部１１および車幅方向の外側の側壁部１３ｏは、シュラウドサイド２３のブラケット取付面部２６（図４参照）よりも後方へ延出し、さらに下壁部１２の後端よりも若干下方の位置には、同じくブラケット取付面部２６よりも後方へ延出するリブ１５（図７参照）が一体形成されている。
【００４１】
上壁部１１および車幅方向の外側の側壁部１３ｏの各後方延出部分１１ａ，１３ｏａと、リブ１５とは、上述したボックス形状部１０の基部として形成されている（図４、図７、図１１参照）。
【００４２】
支持ブラケット５２の筒状の保持部５３は、ボックス形状部１０の基部側の空間に嵌め込まれるように配置され（図７参照）、これによりボックス形状部１０は、マウント装置５によるラジエータ４およびコンデンサ４５の支持剛性を補強する補強部としても形成されている。
【００４３】
図１に示すように、シュラウド２は、シュラウドアッパ２１の上面に取り付けられたシュラウドアッパメンバ１７と、シュラウドアッパメンバ１７の左右両外側に備えたシュラウドサイドメンバ１８，１８とを含む。なお、図４においてはシュラウドアッパメンバ１７およびシュラウドサイドメンバ１８の図示は省略している。
【００４４】
シュラウドアッパメンバ１７は、左右各側においてシュラウドサイドメンバ１８，１８を介して不図示のエプロンメンバの前端部に連結されている。シュラウド２における、矩形枠状に形成された本体部（シュラウドアッパ２１、シュラウドロア２２および両サイドのシュラウドサイド２３，２３）は、硬質剛性樹脂材料によって形成されているのに対して、上述したシュラウドアッパメンバ１７およびシュラウドサイドメンバ１８は、鋼板で形成されている。
【００４５】
左右各側のシュラウドサイドメンバ１８，１８の上面の車幅方向内側、詳しくは、車幅方向におけるシュラウドサイド２３に対応する部位には、不図示のボンネットが閉時の衝撃を吸収する衝撃緩衝部材としての不図示のストップラバーを設置する台座部１８ａが設けられている（図１参照）。
【００４６】
また、シュラウドアッパメンバ１７の車幅方向の中央部には、ボンネットに設けられた不図示のストライカの挿通を許容する貫通穴１７ａが形成されている。
【００４７】
図１に示すように、シュラウドアッパメンバ１７の貫通穴１７ａの下方に位置するシュラウドアッパ２１の車幅方向中央部の前方側には、該シュラウドアッパ２１の下面から下方へ延出するとともに、左右各側の上段開口部８ａ，８ａの側（車幅方向両外側）へ張り出すように一体に形成された下方延出部２１ａを備えている。
【００４８】
このような下方延出部２１ａを含めたシュラウドアッパ２１の車幅方向中央部の前方側には、不図示のラッチを収容するラッチ収容部９（ポケット部）が設けられている。このラッチ収容部９は、図１、図８に示すように、下壁部９ａ、左右両側の側壁部９ｂ，９ｂおよび後壁部９ｃを有して前方および上方が開口する凹状（ポケット状）に形成されている。
【００４９】
これにより、ボンネット閉時に、該ボンネットに設けられたストライカが貫通穴１７ａを通じて降下してラッチ収容部９に収容されたラッチに係合することでボンネットが車体に係合するようになっている。
【００５０】
また、図１、図８に示すように、センタステー２４の上端は、ラッチ収容部９の下壁部９ａの車幅方向中央部に下側から一体に連結されており、ラッチ収容部９は、センタステー２４（の少なくとも上部）よりも幅広に形成されている（図１参照）。
【００５１】
次に、グリルシャッタユニット３について説明する。  
図１、図２、図８〜図１１に示すように、本実施形態のグリルシャッタユニット３は、シュラウド２に対して、その背面側かつラジエータ４およびコンデンサ４５よりも前方側から正面視でシュラウド２からはみ出さないように取り付けられている。
【００５２】
図３に示すように、グリルシャッタユニット３は、複数（当例では６つ）の分割ユニット３ａ〜３ｃとして、上段ユニット３ａ，３ａと中段ユニット３ｂ，３ｂと下段ユニット３ｃ，３ｃとで左右略対称に構成されている。
【００５３】
グリルシャッタユニット３は、車幅方向に延びる複数のシャッタ３０と、シャッタ３０を開閉駆動（揺動）するアクチュエータ３１（図３、図８参照）と、アクチュエータ３１の駆動力をシャッタ３０に伝達する揺動リンク７０（７１，７４）（図２参照）と、シュラウド２側へ取り付けられ、シャッタ３０および揺動リンク７０を保持するフレーム６０（６１ａ，６１ｂ，６１ｃ，６３，６４）とを備えている。各分割ユニット３ａ〜３ｃには、シャッタ３０、揺動リンク７０およびフレーム６０を基本的な構成要素として備えている。
【００５４】
シャッタ３０は、分割ユニット３ａ〜３ｃごとに上下方向に複数配設されている。本実施形態では、図３に示すように、左右各側において、上段ユニット３ａには４枚、中段ユニット３ｂには２枚、下段ユニット３ｃには５枚が夫々上下方向に配設されており、夫々に対応する上段、中段、下段の各開口部８ａ，８ｂ，８ｃを開閉可能としている。
【００５５】
ここで、上段ユニット３ａに備えた４枚の各シャッタ３０を、図１に示すように、上段シャッタ３０ａとし、図３に示すように、上から下へ順に第１〜第４の上段シャッタ３０ａ１〜３０ａ４に設定する。同様に、中段ユニット３ｂに備えた２枚の各シャッタ３０を、中段シャッタ３０ｂとし、上から下へ順に第１中段シャッタ３０ｂ、第２中段シャッタ３０ｂ２に設定し、下段ユニット３ｃに備えた５枚の各シャッタ３０を、下段シャッタ３０ｃとし、上から下へ順に第１〜第５の下段シャッタ３０ｃ１〜３０ｃ５に設定する。
【００５６】
また、上述したように、シュラウド２の前面における、上段開口部８ａおよび下段開口部８ｃの各周縁２７ａ，２７ｃが共に中段開口部８ｂの周縁２７ｂに対して前方へ隆起して形成したことに対応して（図１参照）、図１、図１０に示すように、上段シャッタ３０ａ、下段シャッタ３０ｃは、共に中段シャッタ３０ｂよりも若干前方に配置されている。
【００５７】
シュラウド２に有する開口部８は、上述したように、その中段開口部８ｂの車幅方向外縁８ｂｏの位置が、上段開口部８ａおよび下段開口部８ｃの各車幅方向外縁８ａｏ，８ｃｏよりも車幅方向内側に位置するように形成されているが（図１、図４参照）、それに対応してシャッタ３０は、図１〜図３に示すように、中段シャッタ３０ｂの各車幅方向外縁３０ｂｏが、上段シャッタ３０ａおよび下段シャッタ３０ｃの各車幅方向外縁３０ａｏ，３０ｃｏよりも車幅方向内側に位置するように形成されている。
【００５８】
これにより上段、中段、下段の各ユニット３ａ〜３ｃに備えた各シャッタ３０ａ，３０ｂ，３０ｃは、その車幅方向の長さが、上段、中段、下段の各開口部８ａ，８ｂ，８ｃの車幅方向の開口長さに対して同等、または、若干短い長さで形成されている（図１、図２参照）。
【００５９】
シャッタ３０は、図３に示すように、その車幅方向外縁から車幅方向外側へ突出するシャッタ軸３４ｏと、車幅方向内縁から車幅方向内側へ突出するシャッタ軸３４ｉとを備え、これら左右一対のシャッタ軸３４ｏ，３４ｉは、車幅方向に沿って同軸に延びている。
【００６０】
図２、図３に示すように、フレーム６０は、シャッタ３０の車幅方向外側のシャッタ軸３４ｏを軸支する幅外フレーム６１ａ，６１ｂ，６１ｃと、シャッタ３０の車幅方向内側のシャッタ軸３４ｉを軸支するセンタフレーム６３，６４とを備えている。さらに図２、図３、図５に示すように、センタフレーム６３，６４は、第１センタフレーム６３と、該第１センタフレーム６３の上方かつ左右各側に配設された左右一対の第２センタフレーム６４，６４とを備えている。
【００６１】
第１センタフレーム６３は、全ての分割ユニット３ａ〜３ｃに共通するフレームとして備え、図１、図２、図８に示すように、シュラウド２の車幅方向の中央部にてセンタステー２４と車幅方向に一致するようにセンタステー２４の背面に取り付けられている。
【００６２】
図２、図３、図５、図６（ａ）に示すように、第１センタフレーム６３は、センタステー２４の上端から下端の間にかけて上下方向に延びており、センタステー２４に対応して、下側の幅広部６３ｗと、該幅広部６３ｗよりも上方に位置する幅小部６３ｓとを有して形成されている（図３参照）。
【００６３】
図３、図５、図８に示すように、第１センタフレーム６３の下方側には、アクチュエータ３１を収容するアクチュエータ収容部６５が設けられている。当例では、この１つのアクチュエータ３１によってグリルシャッタユニット３に備えた全てのシャッタ３０を直接、または間接的に開閉駆動するものである。
【００６４】
アクチュエータ収容部６５は、第１センタフレーム６３の幅広部６３ｗの上下方向における、シュラウド２の下段開口部８ｃに対応する部位に配設されており、アクチュエータ３１は、このアクチュエータ収容部６５に収容されることにより、センタステー２４の下方側の背面側に配設されている（図８参照）。
【００６５】
詳しくは、図３、図５、図６（ａ）、図８に示すように、アクチュエータ収容部６５は、第１センタフレーム６３においてアクチュエータ３１の下部を前方から覆う前壁部６５ａと、背面側上部を覆う後壁部６５ｂと、車幅方向の両側を覆う両サイドの側壁部６５ｃ，６５ｃ（図５参照）とを有して形成されている。
【００６６】
ここで、図８、並びに、図３中のＧ−Ｇ線要部断面図としての図１２（ｂ）に示すように、アクチュエータ３１の上部には、左右両サイドから車幅外方へ突出するモータ軸３１ａ，３１ａ（駆動軸とも称する）を備え、アクチュエータ３１は、その左右一対のモータ軸３１ａ，３１ａが下段第２シャッタ３０ｃ２のシャッタ軸３４ｉ（以下、「下段第２シャッタ軸３４０ｉ」と称する）と側面視で一致するように、すなわち、同軸となるように（図１２（ｂ）参照）第１センタフレーム６３に固定されている（図８参照）。
【００６７】
また図２、図６（ａ）、図８に示すように、上述した第１センタフレーム６３は、センタステー２４と一体となってシュラウド２の上側幅中央２１Ｍと下側幅中央２２Ｍとが連結するように該センタステー２４に取付けられている。
【００６８】
具体的には、図３に示すように、第１センタフレーム６３には、複数の貫通穴６３ａが上下方向に沿って形成されている。  
本実施形態では、図３、図５、図６に示すように、貫通穴６３ａは、第１センタフレーム６３の幅小部６３ｓの車幅方向中央部に沿った上下各部と、幅広部６３ｗの上部の車幅方向中央部に対して若干左右各側にずれた部位（中段開口部８ｂに対応する部位の上下各部）と、幅広部６３ｗの上下方向の中央部（下段開口部８ｃの上端に対応する部位）の左右両サイドと、幅広部６３ｗの下部（下段開口部８ｃの下部に対応する部位）の左右両サイドとの少なくとも合計８つが形成されている。
【００６９】
一方、図６（ａ）、図８に示すように、センタステー２４の背面の正面視で第１センタフレーム６３に設けた各貫通穴６３ａに対応する部位には、ネジ挿通穴２４ａが形成されている。
【００７０】
そして、図２、図６（ａ）に示すように、夫々のネジ挿通穴２４ａおよび貫通穴６３ａに、タッピングネジＴを背面側から挿通することでシャッタ支持部６６ｉが構成され、第１センタフレーム６３がセンタステー２４に一体に締結固定されている。
【００７１】
第１センタフレーム６３は、これら複数（８つ）のシャッタ支持部６６ｉのうち、最上部に位置するシャッタ支持部６６ｉａ（図６（ａ）、図８参照）にて、シュラウドアッパ２１の車幅方向中央部に一体形成されたセンタステー２４の上部に取り付けられている。
【００７２】
すなわち、シュラウド２の上側幅中央２１Ｍは、シュラウドアッパ２１の車幅方向中央部と、最上部に位置するシャッタ支持部６６ｉａを含むセンタステー２４の上部とに相当する部位である（図２、図６（ａ）参照）。
【００７３】
同様に、第１センタフレーム６３は、これら複数（８つ）のシャッタ支持部６６ｉのうち、最下部に位置するシャッタ支持部６６ｉｂ（図６（ａ）参照）にて、シュラウドロア２２の車幅方向中央部に一体形成されたセンタステー２４の下部に取り付けられている。
【００７４】
すなわち、シュラウド２の下側幅中央２２Ｍは、シュラウドロア２２の車幅方向中央部と、最下部に位置するシャッタ支持部６６ｉｂを含むセンタステー２４の下部とに相当する部位である（図２、図６（ａ）参照）。
【００７５】
図３、図５に示すように、第１センタフレーム６３の左右両サイドの上下方向の各側には、上段、中段、下段の各分割ユニット３ａ〜３ｃに備えた各シャッタ３０の車幅方向内側に有するシャッタ軸３４ｉを軸支する軸支部６７ｉａ，６７ｉｂ，６７ｉｃが設けられている。
【００７６】
具体的には、第１センタフレーム６３の幅小部６３ｓの上下各部には、第３上段シャッタ３０ａ３および第４上段シャッタ３０ａ４の車幅方向内側に有する各シャッタ軸３４ｉを軸支する軸支部６７ｉａが設けられている。
【００７７】
さらに第１センタフレーム６３の幅広部６３ｗの上下方向の中段開口部８ｂに対応する部位の上下各部には、中段シャッタ３０ｂ１，３０ｂ２の車幅方向内側に有する各シャッタ軸３４ｉを軸支する軸支部６７ｉｂが設けられている。
【００７８】
同じく、第１センタフレーム６３の幅広部６３ｗの上下方向の下段開口部８ｃに対応する部位の上下各部には、例えば、図５、並びに、図３中のＦ−Ｆ線要部断面図としての図１２（ａ）に示すように、下段第２シャッタ３０ｃ２以外の各下段シャッタ３０ｃ１，３０ｃ３〜３０ｃ５の車幅方向内側に有する各シャッタ軸３４ｉを軸支する軸支部６７ｉｃが設けられている。
【００７９】
但し、上述したように、下段第２シャッタ軸３４０ｉは、第１センタフレーム６３によって軸支されておらず、第１センタフレーム６３に備えたアクチュエータ３１から突出するモータ軸３１ａに直結しており（図１２（ｂ）参照）、これにより、左右両側において下段第２シャッタ軸３４０ｉはモータ軸３１ａに軸支されている。すなわち図３、図５に示すように、第１センタフレーム６３の左右側壁部の下段第２シャッタ軸３４０ｉに対応する部位には、該下段第２シャッタ軸３４０ｉを軸支する軸支部６７ｉｃを形成しておらず、下段第２シャッタ軸３４０ｉの挿通を許容してモータ軸３１ａに連結可能とすべく下段第２シャッタ軸３４０ｉよりも大径に形成した大径貫通穴６３ｂが設けられている（図３、図５、図１２（ｂ）参照）。
【００８０】
図２、図３、図５に示すように、第２センタフレーム６４は、ラッチ収容部９の車幅方向両側に、第１センタフレーム６３と独立して（別部材で）上段ユニット３ａの一部として配設されている。第２センタフレーム６４は、上段第１シャッタ３ａ１および上段第２シャッタ３ａ２の車幅方向内側に有する各シャッタ軸３４ｉを軸支する軸支部６７ｉａが設けられている。
【００８１】
図２、図３、図１１に示すように、上述した第２センタフレーム６４も第１センタフレーム６３と同様にシュラウド２の背面側から締結固定されている。
【００８２】
具体的には、図５に示すように、第２センタフレーム６４には、貫通穴６４ａが形成されるとともに、図１１に示すように、シュラウド２における、第２センタフレーム６４に形成した該貫通穴６４ａに対応する部位には、ネジ挿通穴２２ａが形成されている。
【００８３】
そして、これらネジ挿通穴２２ａおよび貫通穴６４ａに、タッピングネジＴを背面側から挿通することでシャッタ支持部６６ｉが構成され、第２センタフレーム６４がシュラウド２に一体に締結固定されている。
【００８４】
図２、図３に示すように、幅外フレーム６１ａ，６１ｂ，６１ｃは、上段ユニット３ａ、中段ユニット３ｂおよび下段ユニット３ｃの夫々に対応して上段幅外フレーム６１ａ、中段幅外フレーム６１ｂ、下段幅外フレーム６１ｃを左右各側に備えている。
【００８５】
図３に示すように、上段幅外フレーム６１ａの上下方向の各側には、上段シャッタ３０ａ１〜３０ａ４の車幅方向外側に有する各シャッタ軸３４ｏを軸支する軸支部６７ｏａが設けられている。
【００８６】
同図に示すように、中段幅外フレーム６１ｂの上下方向の各側には、中段シャッタ３０ｂ１，３０ｂ２の車幅方向外側に有する各シャッタ軸３４ｏを軸支する軸支部６７ｏｂが設けられるとともに、下段幅外フレーム６１ｃの上下方向の各側には、下段シャッタ３０ａ１〜３０ａ５の車幅方向外側に有する各シャッタ軸３４ｏを軸支する軸支部６７ｏｃが設けられている。
【００８７】
図２、図３に示すように、上述した幅外フレーム６１ａ，６１ｂ，６１ｃは、第１、第２センタフレーム６３，６４と同様にシュラウド２の背面側から締結固定されている。
【００８８】
具体的には、上段、下段の各幅外フレーム６１ａ，６１ｃの上下各部、および中段幅外フレーム６１ｂの上下方向の中間部には、それぞれ貫通穴６１ｄが形成されるとともに（図３参照）、図１１に示すように、シュラウド２における、これら貫通穴６１ｄに対応する部位には、ネジ挿通穴２２ｂが形成されている。但し、図１１では複数の貫通穴６１ｄのうち最上位置の貫通穴６１ｄに対応するネジ挿通穴２２ｂのみ図示している。
【００８９】
そして、図２、図１１に示すように、夫々のネジ挿通穴２２ｂおよび貫通穴６１ｄに、タッピングネジＴを背面側から挿通することでシャッタ支持部６６ｏを構成するとともに、上段、中段、下段の各幅外フレーム６１ａ，６１ｂ，６１ｃをシュラウド２に、その背面側から一体に締結固定している。
【００９０】
これにより、図１、図２、図４、図７に示すように、上記のブラケット６（図４、図７参照）は、上下方向において上段幅外フレーム６１ａ（図２参照）と下段幅外フレーム６１ｃ（同図参照）の間に跨ってブラケット取付面部２６へ取り付けられる。
【００９１】
すなわち、ブラケット６のブラケット取付面部２６へ締結する上下各側の締結部２６ｃ，２６ｃのうち、上側の締結部２６ｃは、上段幅外フレーム６１ａと上下方向に一致（オーバーラップ）する部位に設けられるとともに、下側の締結部２６ｃは、下段幅外フレーム６１ｃと上下方向に一致（オーバーラップ）する部位に設けられている（同図参照）。
【００９２】
また、図２、図１１に示すように、これら複数のシャッタ支持部６６ｏのうち最上位に位置するシャッタ支持部６６ｏは、ボックス形状部１０およびマウント装置５と上下方向において略一致する部位に設けられている。換言すると、この最上位に位置するシャッタ支持部６６ｏは、ボックス形状部１０の車幅方向内側の側壁部１３ｉから車幅方向内側へ略水平に上段開口部８ａの車幅方向外縁８ａｏの手前側まで延出した部位に設けられている（図１１参照）。
【００９３】
続いて揺動リンク７０について説明する。  
図２、図３、図５、図６（ａ）に示すように、揺動リンク７０は、車幅方向の中央部の左右各側に備えた左右一対の第１揺動リンク７１，７１と、上段ユニット３ａの一部として、グリルシャッタユニット３の車幅方向両外側かつ上部に備えた左右一対の第２揺動リンク７４，７４（図２、図３参照）とで構成される。
【００９４】
図３、図５、図１２（ａ）、（ｂ）に示すように、第１揺動リンク７１は、左右各側において、複数のシャッタ３０と第１センタフレーム６３との車幅方向の間に介在するように配設されるとともに、シャッタ軸３４ｉ，３４０ｉよりも背面側に配設されている。
【００９５】
左右一対の第１揺動リンク７１，７１は、センタ揺動リンクユニット７５の一部として、上下各側に幅小部６３ｓと幅広部６３ｗとを有する第１センタフレーム６３の左右各側の側部形状に沿ってクランク状に左右略対称形状で形成されている（図３、図５、図６（ａ）参照）。
【００９６】
すなわち、図２、図３、図５、図６（ａ）、図８、図１２に示すように、センタ揺動リンクユニット７５は、左右一対の第１揺動リンク７１，７１と、これら第１揺動リンク７１，７１を上下方向の各部位において第１センタフレーム６３の背面側で車幅方向に連結する複数の背面側連結部７２（図６（ａ）参照）とで一体に形成されている。
【００９７】
図２、図６（ａ）、（ｂ）、図１２（ａ）、（ｂ）、図１３（ａ）、（ｂ）に示すように、左右一対の第１揺動リンク７１，７１（図５参照）には、その車幅方向外面から車幅方向の外側へ向けて突出する複数の揺動軸７３ｉが枢着されている。これら揺動軸７３ｉは、第１揺動リンク７１の車幅方向外側において上下方向に配設された各シャッタ３０に対応して上下方向に設けられている。そして、揺動軸７３ｉは、シャッタ３０の車幅方向内側の端面における、シャッタ軸３４ｉ（３４０ｉも含む）に対して偏心した位置（ずらした位置）に軸支されている（図１３（ａ）、（ｂ）参照）。
【００９８】
ここで、図６（ａ）、（ｂ）、図１３（ａ）、（ｂ）に示すように、左右一対の第１揺動リンク７１，７１の上下方向に有する複数の揺動軸７３ｉのうち、下段第２シャッタ３０ｃ２に軸支される揺動軸７３ｉを下段第２揺動軸７３ｉａに設定する。  
上述したとおり、下段第２シャッタ軸３４０ｉはモータ軸３１ａに直結されているため（図１２（ｂ）参照）、アクチュエータ３１が駆動すると、該アクチュエータ３１の駆動力が第１揺動リンク７１を介さずにダイレクトに下段第２シャッタ３０ｃ２に伝わり該下段第２シャッタ３０ｃ２が開閉駆動（揺動）する。
【００９９】
この下段第２シャッタ３０ｃ２の駆動に伴って下段第２揺動軸７３ｉａが下段第２シャッタ軸３４０ｉ回りに揺動する。この下段第２揺動軸７３ｉａの揺動に伴って第１揺動リンク７１が上下方向に揺動するため、該第１揺動リンク７１に枢着された下段第２揺動軸７３ｉａ以外の他の揺動軸７３ｉも揺動することになる。
【０１００】
すなわち、第１センタフレーム６３に軸支された、下段第２シャッタ３ｃ２以外の他のシャッタ３０（３０ａ３，３０ａ４，３０ｂ１，３０ｂ２，３０ｃ１，３０ｃ３〜３０ｃ５）についても揺動させることができる。
【０１０１】
例えば、シャッタ３０による下段開口部８ｃの開閉に着目して説明すると、下段シャッタ３０ｃが図１３（ａ）に示すような開状態においては、第１揺動リンク７１は図１４（ａ）に示すように下方に位置し、そのような開状態からアクチュエータ３１の駆動によりそのモータ軸３１ａが例えば、図１４（ｂ）に示すように、反時計回りに９０度回動すると（図１４（ｂ）中の矢印ｄ２参照）、下段第２シャッタ３０ｃ２が下段第２揺動軸７３ｉａごと下段第２シャッタ軸３４０ｉ回りに反時計回りに９０度回動する（図１３（ｂ）中の矢印ｄ２参照）。
【０１０２】
これにより、図１３（ｂ）に示すように下段第２シャッタ３０ｃ２が閉状態となる。それと同時に、下段第２揺動軸７３ｉａの上記回動に伴って図１４（ｂ）に示すように第１揺動リンク７１が上動し（図１４（ｂ）中の矢印ｄｕ参照）、これに連動して下段第２シャッタ軸３４０ｉ以外の下段シャッタ３０ｃ１，３０ｃ３〜３０ｃ５の夫々の揺動軸７３ｉが反時計回りに９０度回動することによって（図１４（ｂ）中の矢印ｄ１，ｄ３〜ｄ５参照）、該下段シャッタ３０ｃ１，３０ｃ３〜３０ｃ５が閉状態となる（図１３（ｂ）中の矢印ｄ１，ｄ３〜ｄ５参照）。
【０１０３】
図２、図３に示すように、第２揺動リンク７４は、左右各側の上段ユニット３ａにおいて、上段シャッタ３０ａと上段幅外フレーム６１ａとの車幅方向の間に介在するように配設されるとともに、これら上段シャッタ３０ａの夫々に設けられた車幅方向外側のシャッタ軸３４ｏよりも背面側に配設されている。
【０１０４】
左右両側の第２揺動リンク７４，７４には、その車幅方向内側端面から車幅方向の内側へ向けて突出する揺動軸７３ｏが一体に形成されており（図２参照）、該揺動軸７３ｏは、各上段ユニット３０ａに対応して上下方向に設けられている。すなわち、揺動軸７３ｏは、上述した揺動軸７３ｉと同様に、車両側面視でシャッタ軸３４ｏ（図３参照）に対して偏心した位置（ずらした位置）となるようにシャッタ３０の車幅方向の外端面に枢着されている。
【０１０５】
ここで、上段ユニット３ａに着目すると、アクチュエータ３１の駆動によって上述したように、第１揺動リンク７１が揺動することに伴って上段第３シャッタ３０ａ３および上段第４シャッタ３０ａ４が直線的に揺動する一方で、上段第１シャッタ３０ａ１および上段第２シャッタ３０ａ２ついては第１揺動リンク７１に直接連結されていないため、直接的に揺動させることができない。
【０１０６】
しかしながら、上段第１シャッタ３０ａ１および上段第２シャッタ３０ａ２は、
第２揺動リンク７４を介して上段第３シャッタ３０ａ３および上段第４シャッタ３０ａ４に連結されているため、上段第３シャッタ３０ａ３および上段第４シャッタ３０ａ４が揺動するに伴って第３、第２揺動リンク７４を介して上段第１シャッタ３０ａ１および上段第２シャッタ３０ａ２についても揺動させることができる。
【０１０７】
本実施の形態の自動車のグリルシャッタ取付構造１は、枠状のシュラウド２に、車幅方向に延びる複数のシャッタ３０を備えたグリルシャッタユニット３が取付けられる構造であって、シュラウドアッパ２１の幅方向中央部（シュラウドアッパ幅中央）とシュラウドロア２２の幅方向中央部（シュラウドロア幅中央）とに連結する上下方向に延びるセンタステー２４が設けられ（図１、図８参照）、グリルシャッタユニット３がシュラウド２の背面側に取り付けられるとともに、グリルシャッタユニット３における、センタステー２４の背面側の部位に、シャッタ３０開閉駆動用のアクチュエータ３１が配設されたものである（図３、図８参照）。
【０１０８】
上記構成によれば、アクチュエータ３１をグリルシャッタユニット３の正面視で車幅方向の中央部に位置するセンタステー２４に配設することで、例えば、該センタステー２４に対して左右両側のシャッタ３０をバランスよくスムーズに開閉させることができつつ、センタステー２４の背面側のデッド空間を利用してアクチュエータ３１を配設でき、レイアウト性能を向上できる。
【０１０９】
しかも、アクチュエータ３１を、シュラウド２の車幅方向の中間に位置するセンタステー２４に配設することで、シュラウド２の車幅方向の両側または一方のシュラウドサイド２３に配設する場合と比較して、上述したように左右両側のシャッタ３０をバランスよく開閉できるため、アクチュエータ３１の容量や揺動リンク７０が大型化、複雑化することもなく、この点でもレイアウト性を高めることができる。
【０１１０】
この発明の態様として、センタステー２４が、その下方側が上方側に対し幅広に形成されており（図１参照）、センタステー２４の下方側の背面側に、アクチュエータ３１が配設されたものである（図３、図５、図８参照）。
【０１１１】
上記構成によれば、シュラウドロア２２の幅方向中央部とセンタステー２４との連結部位の剛性向上を図りつつ、アクチュエータ３１を備えたグリルシャッタユニット３の重心位置を下げることができる。
【０１１２】
詳しくは、上記構成によれば、センタステー２４を、その下方側が上方側に対し幅広に形成したため、シュラウドロア２２の幅方向中央部とセンタステー２４との連結部位の剛性向上を図ることができる。
【０１１３】
さらに、上述したように、センタステー２４の下方側を幅広に形成することに加えて、アクチュエータ３１をセンタステー２４の下方側の背面側に位置するグリルシャッタユニット３側の部位（つまり第１センタフレーム６３）に配設したため、該グリルシャッタユニット３の重心位置を下げることができる。
【０１１４】
この発明の態様として、グリルシャッタユニット３に備えたセンタフレーム６３，６４のうち、第１センタフレーム６３がセンタステー２４に沿ってその背面側に取付けられるとともに（図２、図６（ａ）、図８参照）、第１センタフレーム６３の上下方向におけるアクチュエータ３１の配設部位を、それ以外の部位より幅広に形成し（図２、図３、図５、図８参照）、アクチュエータ３１の配設部位に、アクチュエータ３１を収容するアクチュエータ収容部６５が形成されたものである（図３、図５、図８参照）。
【０１１５】
上記構成によれば、センタフレーム６３，６４の上下方向におけるアクチュエータ３１の配設部位を、センタステー２４の幅に合わせて幅広に形成することにより、該アクチュエータ３１の配設部位に、アクチュエータ３１を収容可能なアクチュエータ収容部６５を形成することができる。
【０１１６】
この発明の態様として、アクチュエータ３１の駆動力をシャッタ３０に伝達する揺動リンク７０（７１，７４）のうち第１揺動リンク７１が第１センタフレーム６３に沿って配設されたものである（図３、図５、図６（ａ）参照）。
【０１１７】
上記構成によれば、第１揺動リンク７１をアクチュエータ３１と共にグリルシャッタユニット３の車幅方向の中央に配置（いわゆるセンタ配置）することで、第１揺動リンク７１を複雑化したり大型化することがなく、アクチュエータ３１の駆動力を、該アクチュエータ３１に直近に配置した第１揺動リンク７１を介してシャッタ３０へ効率よく伝達することができる。
【０１１８】
上記構成によれば、センタフレーム６３，６４に対して左右各側に分割して配置されるサイドユニットとして、右側の分割ユニット３ａ，３ｂ，３ｃおよび左側の分割ユニット３ａ，３ｂ，３ｃを備えた構成を採用したグリルシャッタユニット３において、アクチュエータ３１は、右側の分割ユニット３ａ，３ｂ，３ｃおよび左側の分割ユニット３ａ，３ｂ，３ｃの夫々に備えたシャッタ３０を、第１センタフレーム６３（および第２センタフレーム６４）によって第１揺動リンク７１を介してグリルシャッタユニット３の幅方向の中央側からバランスよく開閉駆動させることができる。
【０１１９】
この発明の態様として、グリルシャッタユニット３には、第１センタフレーム６３（および第２センタフレーム６４）に対して左右各側に分割して配置されるサイドユニットとして、右側の分割ユニット３ａ，３ｂ，３ｃおよび左側の分割ユニット３ａ，３ｂ，３ｃを備えるとともに（図１〜図３、図５参照）、右側の分割ユニット３ａ，３ｂ，３ｃおよび左側の分割ユニット３ａ，３ｂ，３ｃの左右各側の車幅方向の第１センタフレーム６３側の端部に第１揺動リンク７１，７１を備え（図２、図６（ａ）、（ｂ）参照）、左右各側の第１揺動リンク７１，７１が第１センタフレーム６３の背面側で互いに連結するようにセンタ駆動リンクユニット７５として一体的に形成されたものである（図３、図４、図６（ａ）、図８参照）。
【０１２０】
上述したように、左右各第１揺動リンク７１，７１を、第１センタフレーム６３の背面側で背面側連結部７２によって連結して一体的に形成することにより、第１揺動リンク７１の剛性を向上できることに加えて、アクチュエータ３１の駆動力を、左右各側の第１揺動リンク７１，７が協働して左右各側の分割ユニット３ａ，３ｂ，３ｃに備えたシャッタ３０に伝達できるため、例えば、揺動リンクを左右各側で独立して構成し、左右各側の分割ユニット３ａ，３ｂ，３ｃに備えたシャッタ３０にアクチュエータ３１の駆動力を左右独立して設けた揺動リンクを介して伝達する場合よりも、シャッタ３０の開閉駆動をスムーズに行うことができる。
【０１２１】
この発明の態様として、シュラウドアッパ２１の車幅方向の中央部に、ボンネットのラッチ（図示省略）を収容するラッチ収容部９が上段開口部８ａ側（車幅方向外側）に突出して形成されるとともに（図１、図２参照）、ラッチ収容部９に対して左右両側には、第１揺動リンク７１によって直接駆動されない間接揺動シャッタとしての第１上段シャッタ３０ａ１および第２上段シャッタ３０ａ２が配設され（図１〜図３、図５参照）、第１揺動リンク７１とは異なる第２揺動リンク７４によって、第１上段シャッタ３０ａ１および第２上段シャッタ３０ａ２を駆動可能にこれらシャッタ３０ａ１，３０ａ２の車幅方向の外方側に設けられたものである（図２、図３参照）。
【０１２２】
上記構成によれば、ラッチ収容部９を形成することに伴って、その左右両側に配設された第１上段シャッタ３０ａ１および第２上段シャッタ３０ａ２が、第１揺動リンク７１によって直接駆動されない構成となっても、これらシャッタ３０ａ１，３０ａ２を第２揺動リンク７４によってスムーズに開閉駆動させることができる。
【０１２３】
さらに、本実施形態の自動車のグリルシャッタ取付構造１は、グリルシャッタユニット３の車幅方向の中央にアクチュエータ３１を配置した構成（いわゆるセンタ配置）を採用したため、アクチュエータ３１によって、左右各側の第１上段シャッタ３０ａ１および第２上段シャッタ３０ａ２や、これらシャッタ３０ａ１，３０ａ２の車幅方向の外方側に設けられた第２揺動リンク７４，７４についても左右両側共にバランスよく駆動させることができる。
【０１２４】
この発明は、上述の実施例の構成のみに限定されるものではなく様々な実施形態で形成することができる。  
例えば、上述した実施形態ではシャッタ軸３４ｉ，３４ｏをシャッタ３０側に設けて該シャッタ軸３４ｉ，３４ｏによりフレーム６０（６１ａ，６１ｂ，６１ｃ，６３，６４）を軸支する構成を採用したが、これに限らず、例えば、シャッタ軸３４ｉ，３４ｏをフレーム６０（６１ａ，６１ｂ，６１ｃ，６３，６４）側に設けて該シャッタ軸３４ｉ，３４ｏによりシャッタ３０を軸支する構成を採用してもよい。
【０１２５】
また、上述した実施形態では揺動軸７３ｉ，７３ｏを第１、第２揺動リンク７１，７４側に設けて該揺動軸７３ｉ，７３ｏによりシャッタ３０を軸支する構成を採用したが、これに限らず、例えば、揺動軸７３ｉ，７３ｏをシャッタ３０側に設けて該揺動軸７３ｉ，７３ｏにより第１、第２揺動リンク７１，７４を軸支する構成を採用してもよい。
【符号の説明】
【０１２６】
１…自動車のグリルシャッタ取付構造
２…シュラウド
３…グリルシャッタユニット
３ａ，３ｂ，３ｃ…分割ユニット（サイドユニット）
８…開口部
９…ラッチ収容部
２１…シュラウドアッパ
２２…シュラウドロア
２４…センタステー
３０…シャッタ
３０ａ１…上段第１シャッタ（間接揺動シャッタ）
３０ａ２…上段第２シャッタ（間接揺動シャッタ）
３１…アクチュエータ
６３…第１センタフレーム（センタフレーム）
６５…アクチュエータ収容部
７１…第１揺動リンク（駆動リンク）
７２…第２揺動リンク（第２駆動リンク）
【手続補正２】
【補正対象書類名】特許請求の範囲
【補正対象項目名】全文
【補正方法】変更
【補正の内容】
【特許請求の範囲】
【請求項１】
枠状のシュラウドに、車幅方向に延びる複数のシャッタを備えたグリルシャッタユニットが取付けられる自動車のグリルシャッタ取付構造であって、
シュラウドアッパ幅中央とシュラウドロア幅中央とに連結する上下方向に延びるセンタステーが設けられ、
上記グリルシャッタユニットが上記シュラウドの背面側に取り付けられるとともに、
上記グリルシャッタユニットにおける、上記センタステーの背面側の部位に、上記シャッタ開閉駆動用のアクチュエータが配設され、
上記グリルシャッタユニットに備えたセンタフレームが、上記センタステーに沿ってその背面側に取付けられるとともに、上記センタフレームの上下方向におけるアクチュエータの配設部位を、それ以外の部位より幅広に形成し、
上記アクチュエータの配設部位に、上記アクチュエータを収容するアクチュエータ収容部が形成され、
上記アクチュエータの駆動力を上記シャッタに伝達する駆動リンクが上記センタフレームに沿って配設され、
上記シュラウドアッパ幅中央に、ボンネットのラッチを収容するラッチ収容部が、枠状の上記シュラウドの正面視内側に有する開口部側に突出して形成されるとともに、上記ラッチ収容部に対して左右両側には、上記駆動リンクによって直接駆動されない間接揺動シャッタが配設され、
上記駆動リンクとは異なる第２の駆動リンクが、上記間接揺動シャッタを駆動可能に該間接揺動シャッタの車幅方向の外方側に設けられた
自動車のグリルシャッタ取付構造。
【請求項２】
上記センタステーが、その下方側が上方側に対し幅広に形成されており、
上記センタステーの下方側の背面側に、上記アクチュエータが配設された
請求項１に記載の自動車のグリルシャッタ取付構造。
【請求項３】
上記グリルシャッタユニットには、上記センタフレームに対して左右各側に分割して配置されるサイドユニットを備えるとともに、左右各側の上記サイドユニットの車幅方向の上記センタフレーム側端部に上記各駆動リンクを備え、
左右各側の上記各駆動リンクが上記センタフレームの背面側で互いに連結するように一体的に形成された
請求項１または２に記載の自動車のグリルシャッタ取付構造。